(57)【要約】【課題】従来、テレビ、ラジオ、インターネットなどの媒体による広告、宣伝活動は、主体となるコンテンツを時間的に区切る等して、主体となるコンテンツを妨げることなく広告を挿入する。その際、主体のコンテンツと、広告との関連性はない場合が多い。ところが、一般的に利用者は、広告を忌避する傾向がある。【解決手段】本発明は、この課題を解決するために、コンテンツに広告を重畳する形態で挿入し、コンテンツを視聴すれば自然に広告も視聴することになる広告情報重畳装置を提案する。また、その際に重畳する広告情報は、利用者の属性情報や、利用の際の環境に関する情報などに基づいて選択できるようになっており、利用者のニーズに応じてより広告効果の高い広告情報を重畳し、視聴させることができるようにしている。【選択図】　　　　　　図２
2004102475.tif 000002
【特許請求の範囲】
【請求項１】
コンテンツを利用するための情報を含むコンテンツ情報を取得するコンテンツ情報取得部と、
広告情報を取得する広告情報取得部と、
コンテンツ情報取得部で取得したコンテンツ情報に、広告情報取得部で取得した広告情報を重畳して広告情報入りコンテンツ情報を生成する広告情報重畳部と、
を有する広告情報重畳装置。
【請求項２】
前記広告情報は、音声、文字、画像のいずれかである請求項１に記載の広告情報重畳装置。
【請求項３】
前記コンテンツは、ラジオ番組、テレビ番組、ゲームのいずれかである請求項１に記載の広告情報重畳装置。
【請求項４】
前記コンテンツ情報には、コンテンツの属性を示す情報であるコンテンツ属性情報を含み、
前記コンテンツ属性情報を取得するコンテンツ属性情報取得部を有し、
前記広告情報取得部が取得する広告情報は、前記コンテンツ属性情報取得部で取得したコンテンツ属性情報に基づいて定められる
請求項１から３のいずれか一に記載の広告情報重畳装置。
【請求項５】
コンテンツ情報の利用者の属性を示す情報である利用者属性情報を取得する利用者属性情報取得部を有し、
前記広告情報取得部が取得する広告情報は、前記利用者属性情報取得部で取得した利用者属性情報に基づいて定められる
請求項１から３のいずれか一に記載の広告情報重畳装置。
【請求項６】
コンテンツ情報の利用の際の天候、時間、再生場所のいずれか一又は組合せに関する情報である利用環境情報を取得する利用環境情報取得部を有し、
前記広告情報取得部が取得する広告情報は、前記利用環境情報取得部で取得した利用環境情報に基づいて定められる
請求項１から３のいずれか一に記載の広告情報重畳装置。
【請求項７】
前記コンテンツ情報には、広告情報を重畳するタイミングを定める情報であるタイミング情報を含み、
前記広告情報重畳部は、前記タイミング情報に基づいて広告情報を重畳して広告情報入りコンテンツ情報を生成する請求項１から３のいずれか一に記載の広告情報重畳装置。
【請求項８】
コンテンツ情報の利用の際の天候、時間、再生場所のいずれか一又は組合せに関する情報である利用環境情報を取得する利用環境情報取得部を有し、
前記広告情報重畳部は、前記利用環境情報に基づいて広告情報を重畳して広告情報入りコンテンツ情報を生成する請求項１から３のいずれか一に記載の広告情報重畳装置。
【請求項９】
コンテンツ情報の利用状況を示す情報であるコンテンツ利用状況情報を取得するコンテンツ利用状況情報取得部と、
前記コンテンツ利用状況情報取得部で取得したコンテンツ利用状況情報に基づいて、前記コンテンツに対して重畳すべき広告情報を決定するための情報である広告情報決定情報を取得する広告情報決定情報取得部と、
を有する広告情報決定装置。
【請求項１０】
前記コンテンツ利用状況情報は、コンテンツを利用しているコンテンツ利用装置から通信回線を通じて取得するものであり、
前記広告情報決定情報取得部で取得した広告情報決定情報を、前記コンテンツ利用装置に対して送信する広告情報決定情報送信部を有する請求項９に記載の広告情報決定装置。
【請求項１１】
請求項１０に記載の広告情報決定装置から送信された広告情報決定情報を受信する広告情報決定情報受信部を有し、
前記広告情報取得部は、前記広告情報決定情報受信部で受信した広告情報決定情報に基づいて広告情報を取得する請求項１から３のいずれか一に記載の広告情報重畳装置。
【請求項１２】
コンテンツ情報の送信状況を示す情報であるコンテンツ送信状況情報を取得するコンテンツ送信状況情報取得部と、
前記コンテンツ送信状況情報取得部で取得したコンテンツ送信状況情報に基づいて、前記コンテンツに対して重畳すべき広告情報を決定するための情報である広告情報決定情報を取得する広告情報決定情報取得部と、
を有する広告情報決定装置。
【請求項１３】
前記コンテンツ送信状況情報は、コンテンツをストリーミング送信しているコンテンツプロバイダーから取得するものであり、
前記広告情報決定情報取得部で取得した広告情報決定情報を、前記コンテンツプロバイダーに対して送信する広告情報決定情報送信部を有する請求項１２に記載の広告情報決定装置。
【請求項１４】
請求項１３に記載の広告情報決定装置から送信された広告情報決定情報を受信する広告情報決定情報受信部を有し、
前記広告情報取得部は、前記広告情報決定情報受信部で受信した広告情報決定情報に基づいて広告情報を取得する請求項１から３のいずれか一に記載の広告情報重畳装置。
【請求項１５】
前記広告情報は、広告情報を配信するサーバである広告情報配信サーバから配信されるものである請求項１から３のいずれか一に記載の広告情報重畳装置。
【請求項１６】
コンテンツ情報を取得するコンテンツ情報取得部と、
広告情報を取得する広告情報取得部と、
コンテンツ情報取得部で取得したコンテンツ情報に、広告情報取得部で取得した広告情報を重畳して広告情報入りコンテンツ情報を生成する広告情報重畳部と、
広告情報重畳部で重畳した広告情報入りコンテンツ情報をストリーミング送信するストリーミング送信部と、
を有するコンテンツ送信装置。
【請求項１７】
前記広告情報重畳部は、広告情報としての音声を、コンテンツの背景音として埋め込んで広告情報入りコンテンツ情報を生成する請求項２に記載の広告情報重畳装置。
【請求項１８】
前記コンテンツの背景音は、コンテンツ情報で再生される街などの風景の音である請求項１７に記載の広告情報重畳装置。
【請求項１９】
前記広告情報重畳部は、広告情報としての画像を、コンテンツの画像の一部を置き換えて広告情報入りコンテンツ情報を生成する請求項２に記載の広告情報重畳装置。
【請求項２０】
前記コンテンツ画像の一部は、街などの風景としての看板の部分の画像である請求項１９に記載の広告情報重畳装置。
【請求項２１】
前記コンテンツ画像の一部は、街などの風景としての電光掲示板の部分の画像である請求項１９に記載の広告情報重畳装置。
【請求項２２】
前記広告情報重畳部は、広告情報としての文字を、コンテンツの画像の一部に埋め込んで広告情報入りコンテンツ情報を生成する請求項２に記載の広告情報重畳装置。
【請求項２３】
前記コンテンツ画像の一部は、街などの風景としての電光掲示板の部分に埋め込まれる請求項２２に記載の広告情報重畳装置。
【請求項２４】
前記広告情報は、その広告情報に関連する情報を表示するウエッブページへのリンク情報が含まれ、
前記リンク情報に基づいてウエッブページを表示した履歴情報を蓄積する履歴情報蓄積部と、
前記履歴情報蓄積部に蓄積される履歴情報を送信する履歴情報送信部と、
を有する請求項１に記載の広告情報重畳装置。
【請求項２５】
広告情報重畳部での広告情報の重畳の履歴情報を蓄積する重畳履歴情報蓄積部と、
前記重畳履歴情報蓄積部での履歴情報を送信する重畳履歴情報送信部と、
を有する請求項１から８のいずれか一に記載の広告情報重畳装置。
【請求項２６】
前記広告情報重畳部で生成した広告情報入りコンテンツ情報を再生するためのコンテンツ再生部を有する請求項１から８のいずれか一に記載の広告情報重畳装置。
【請求項２７】
広告情報重畳部での広告情報の重畳を許可するための許可部を有し、
前記許可部は、許可をするか、又は、しないかに関する情報である許可情報を受信する許可情報受信手段を有する請求項１から８のいずれか一に記載の広告情報重畳装置。
【請求項２８】
広告情報重畳部にて重畳される広告情報を前記利用者が選択するための広告情報選択部を有する請求項１から８のいずれか一に記載の広告情報重畳装置。
【請求項２９】
前記広告情報取得部で取得される広告情報は、暗号化されたものである請求項１から８のいずれか一に記載の広告情報重畳装置。
【請求項３０】
前記広告情報重畳装置は、移動型端末装置である請求項１から８のいずれか一に記載の広告情報重畳装置。
【請求項３１】
コンテンツを利用するための情報を含むコンテンツ情報を取得するコンテンツ情報取得ステップと、
広告情報を取得する広告情報取得ステップと、
コンテンツ情報取得ステップにて取得したコンテンツ情報に、広告情報取得ステップにて取得した広告情報を重畳して広告情報入りコンテンツ情報を生成するステップと、
からなる広告情報重畳方法。
【請求項３２】
コンテンツ情報の利用状況を示す情報であるコンテンツ利用状況情報を取得するコンテンツ利用状況情報取得ステップと、
前記コンテンツ利用状況情報取得ステップにおいて取得したコンテンツ利用状況情報に基づいて、前記コンテンツに対して重畳すべき広告情報を決定するための情報である広告情報決定情報を取得する広告情報決定情報取得ステップと、
からなる広告情報決定方法。
【請求項３３】
コンテンツ情報の送信状況を示す情報であるコンテンツ送信状況情報を取得するコンテンツ送信状況情報取得ステップと、
前記コンテンツ送信状況情報取得ステップにおいて取得したコンテンツ送信状況情報に基づいて、前記コンテンツに対して重畳すべき広告情報を決定するための情報である広告情報決定情報を取得する広告情報決定情報取得ステップと、
からなる広告情報決定方法。
【請求項３４】
コンテンツ情報を取得するコンテンツ情報取得ステップと、
広告情報を取得する広告情報取得ステップと、
コンテンツ情報取得ステップにて取得したコンテンツ情報に、広告情報取得ステップにて取得した広告情報を重畳して広告情報入りコンテンツ情報を生成する広告情報重畳ステップと、
広告情報重畳ステップで重畳した広告情報入りコンテンツ情報をストリーミング送信するストリーミング送信ステップと、
からなるコンテンツ送信方法。
【発明の詳細な説明】
【０００１】
【発明の属する技術分野】
本発明は広告情報重畳装置に関するものである。
【０００２】
【従来の技術】
従来、テレビ、ラジオ、インターネットなどの媒体による広告、宣伝活動は、主体となるコンテンツを時間的に区切って（例えば、テレビ放送中に挿入されるコマーシャルなど）、あるいは、広告スペースを割いて（例えば、テロップやバナー広告など）、主体となるコンテンツを妨げることなく広告を挿入することにより行われる（例えば、特許文献１参照。）。その際、主体のコンテンツと、広告との関連性はない場合が多い。
【０００３】
【特許文献１】
特開２００２−９４９６４号公報
【０００４】
【発明が解決しようとする課題】
ところが、一般的に利用者は、広告を忌避する傾向がある。つまり、利用者はコマーシャルや、バナー広告に注視しなかったり、主体のコンテンツが一定時間経過してコマーシャルに切り替わる際にチャンネルを換えたり、バナー広告の画面を閉じてしまったりする。
【０００５】
【課題を解決するための手段】
本発明は、この課題を解決するために、コンテンツに広告を重畳する形態で挿入し、コンテンツを視聴すれば自然に広告も視聴することになる広告情報重畳装置を提案する。
【０００６】
また、その際に重畳する広告情報は、利用者の属性情報や、利用の際の環境に関する情報などに基づいて選択できるようになっており、利用者のニーズに応じてより広告効果の高い広告情報を重畳し、視聴させることができるようにしている。
【０００７】
【発明の実施の形態】
以下に、本発明の実施の形態を説明する。なお、本発明はこれら実施の形態に何ら限定されるものではなく、その要旨を逸脱しない範囲において、種々なる態様で実施しうる。
【０００８】
実施形態１は、主に請求項１、３１などについて説明する。
【０００９】
実施形態２は、主に請求項２などについて説明する。
【００１０】
実施形態３は、主に請求項３などについて説明する。
【００１１】
実施形態４は、主に請求項４などについて説明する。
【００１２】
実施形態５は、主に請求項５などについて説明する。
【００１３】
実施形態６は、主に請求項６などについて説明する。
【００１４】
実施形態７は、主に請求項７などについて説明する。
【００１５】
実施形態８は、主に請求項８などについて説明する。
【００１６】
実施形態９は、主に請求項９、３２などについて説明する。
【００１７】
実施形態１０は、主に請求項１０などについて説明する。
【００１８】
実施形態１１は、主に請求項１１などについて説明する。
【００１９】
実施形態１２は、主に請求項１２、３３などについて説明する。
【００２０】
実施形態１３は、主に請求項１３などについて説明する。
【００２１】
実施形態１４は、主に請求項１４などについて説明する。
【００２２】
実施形態１５は、主に請求項１５などについて説明する。
【００２３】
実施形態１６は、主に請求項１６、３４などについて説明する。
【００２４】
実施形態１７は、主に請求項１７などについて説明する。
【００２５】
実施形態１８は、主に請求項１８などについて説明する。
【００２６】
実施形態１９は、主に請求項１９などについて説明する。
【００２７】
実施形態２０は、主に請求項２０などについて説明する。
【００２８】
実施形態２１は、主に請求項２１などについて説明する。
【００２９】
実施形態２２は、主に請求項２２などについて説明する。
【００３０】
実施形態２３は、主に請求項２３などについて説明する。
【００３１】
実施形態２４は、主に請求項２４などについて説明する。
【００３２】
実施形態２５は、主に請求項２５などについて説明する。
【００３３】
実施形態２６は、主に請求項２６などについて説明する。
【００３４】
実施形態２７は、主に請求項２７などについて説明する。
【００３５】
実施形態２８は、主に請求項２８などについて説明する。
【００３６】
実施形態２９は、主に請求項２９などについて説明する。
【００３７】
実施形態３０は、主に請求項３０などについて説明する。
＜＜実施形態１＞＞
【００３８】
＜実施形態１：概要＞
【００３９】
実施形態１について説明する。
【００４０】
図１は、本実施形態の広告情報重畳装置についての概念の一例を示すものである。今、広告情報重畳装置には、コンテンツ情報と、広告情報が取得されている。コンテンツ情報は、画像情報、及び／又は、音声情報によって構成されている情報である。ここでは映画のコンテンツ「待ち合わせ」が用いられる。そのコンテンツには、街中を歩く主人公が街頭の大型モニタの前で立ち止まり、携帯電話で電話をかけるという一場面が含まれている。一方、広告情報は、ここではビールの広告であり、広告出演者がビールを飲むシーンと、対象商品であるビールのカットにより構成されている。
【００４１】
広告情報重畳装置は、このコンテンツ情報と、広告情報とを重畳して、広告情報入りコンテンツ情報を生成する。ここでは、一例として、コンテンツの一場面に登場する大型モニタの画面に広告情報を重畳させて、広告情報入りコンテンツ情報を生成する。コンテンツ情報と、広告情報とを重畳させることにより、コンテンツの視聴者が、必然的に広告情報をも視聴することになり、宣伝効果が期待できる。
【００４２】
また、コンテンツ情報、あるいは、広告情報の供給者は、必要に応じて広告情報を差し替える事ができる。これにより、新商品の宣伝活動をタイミングよく行うことができ、便利である。さらに、同じコンテンツ情報であっても、広告情報が変わることで変化が生じ、複数回同じコンテンツ情報を視聴しても視聴者を飽きさせない。
【００４３】
＜実施形態１：構成＞
【００４４】
本実施形態は、コンテンツ情報と広告情報を重畳する広告情報重畳装置である。本実施形態での機能ブロックの一例を図２に示した。
【００４５】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【００４６】
本件発明の構成要素である各部は、ハードウエア、ソフトウエア、ハードウエアとソフトウエアの両者、のいずれかによって構成される。たとえば、これらを実現する一例として、コンピュータを利用する場合には、ＣＰＵ、メモリ、バス、インターフェイス、周辺装置などから構成されるハードウエアと、これらのハードウエア上にて実行可能なソフトウエアを挙げることができる。
【００４７】
具体的には、メモリ上に展開されたプログラムを順次実行することで、メモリ上のデータや、インターフェイスを介して入力されるデータの加工、蓄積、出力などにより各部の機能が実現される。（本明細書の全体を通じて同様である。）
【００４８】
「コンテンツ情報取得部」（０２０１）は、コンテンツ情報を取得する。
【００４９】
「コンテンツ情報」とは、画像情報、及び／又は、音声情報からなるコンテンツと、さらにコンテンツを利用するための情報を含む情報をいう。
【００５０】
コンテンツは、例えば、映画、テレビ・ラジオなどで放送されるドラマ、スポーツ中継等、プロモーションビデオ、ゲームソフトなどが該当する。また、コンテンツが、後述する広告情報であってもよい。その場合、広告情報にさらに広告情報を重畳する。
【００５１】
コンテンツの利用は、画像や音声の再生や、ゲームの実行を行うことである。また、コンテンツを利用するための情報は、コンテンツの種類、コンテンツのどの部分にどのような広告情報を重畳することができるかを示す情報などがある。前者は、映像、音声といった属性の種別や、映画、ゲームソフトといった内容の種別が該当する。後者は、上述の例でいうと、広告情報を重畳させる大型モニタの画面が登場する場面の開始・終了時刻や、重畳できる広告情報の属性（文字情報のみなど）、位置（コンテンツ情報の大型モニタの画面内など）、時間（３０秒間など）、内容（飲料水の広告情報のみなど）が該当する。
【００５２】
「取得」とは、放送や、通信、あるいは、外部メディアなどを介して外部から受付けることであり、内部的に生成する場合もある。例えば、コンテンツ情報、広告情報の供給者、あるいは、ＤＶＤなどから取得する。
【００５３】
「広告情報取得部」（０２０２）は、広告情報を取得する。
【００５４】
「広告情報」とは、画像情報、音声情報、文字情報のいずれか一、又は、組合せからなり、商品や役務（サービス）を宣伝、告知するための情報をいう。
【００５５】
広告情報は、また、広告を重畳するための情報を含む場合もある。例えば、広告情報の属性（文字情報など）、時間（３０秒間など）、内容（飲料水の広告情報など）、複数の広告情報が存在する場合の各広告情報間の優先順位などが該当する。
【００５６】
「広告情報重畳部」（０２０３）は、コンテンツ情報取得部（０２０１）で取得したコンテンツ情報に、広告情報取得部（０２０２）で取得した広告情報を重畳して広告情報入りコンテンツ情報を生成する。
【００５７】
「重畳」とは、重ねあわせることである。ここでは、コンテンツ情報に含まれるコンテンツを利用するための情報などから、広告情報の重畳の態様を決め、広告情報入りコンテンツ情報を生成する。生成した広告情報入りコンテンツ情報を再生するところまで含まれる場合がある。重畳の処理によって、広告情報入りコンテンツ情報が生成されるが、この点で単に、バナー広告や、テロップなどを利用する広告形態とは異なる。
【００５８】
広告情報重畳装置は、家庭にあるコンテンツ再生装置（例えばテレビなど）に接続され、あるいは、内蔵されて、主として一般視聴者によって利用される場合のほか、放送局などでコンテンツや広告情報の配信者によって利用される場合もある。ここでいう「放送」は、多数の人に同時に聴取されることを目的として電波によって音声又は／及び映像を受信装置に送ることのほか、特定人に対して有線で行われる通信の形態をも含む場合がある。（本明細書中、特に断りがない限り同様である。）
【００５９】
＜実施形態１：具体例＞
【００６０】
図３に、重畳の具体的な方法の一例について示した。図の左側には、コンテンツ情報を、右側には広告情報を示した。コンテンツ情報に含まれるコンテンツを利用するための情報より、コンテンツに重畳可能な時間は、コンテンツの再生開始後２分３０秒から４分３０秒までの２分間である。また、重畳可能な広告情報の属性は画像情報である。一方、広告情報に含まれる広告を重畳するための情報より、広告情報の属性は画像情報であり、再生所要時間は３０秒なので、コンテンツ情報に重畳可能である。
【００６１】
コンテンツの再生開始後２分３０秒の時点から、広告情報を所定の位置（コンテンツ情報の大型モニタの画面内）に重ね合わせる。コンテンツに重畳可能な時間が余っている限り、広告情報を繰り返し重ね合わせる。ここで、別の広告情報が広告情報重畳装置に取得されている場合には、優先順位等に応じて、そちらも利用する場合もある。
【００６２】
＜実施形態１：処理の流れ＞
【００６３】
図４は、実施形態１での処理の流れの一例を示したものである。本実施形態における広告重畳方法は、以下に示すステップよりなる。
【００６４】
コンテンツを利用するための情報を含むコンテンツ情報を取得する（コンテンツ情報取得ステップ　Ｓ０４０１）。
【００６５】
広告情報を取得する（広告情報取得ステップ　Ｓ０４０２）。コンテンツ情報取得ステップと、広告情報取得ステップの順序は、逆でもよい。
【００６６】
コンテンツ情報取得ステップにて取得したコンテンツ情報に、広告情報取得ステップにて取得した広告情報を重畳して広告情報入りコンテンツ情報を生成する（広告情報重畳ステップ　Ｓ０４０３）。
【００６７】
以上の処理は、計算機に実行させるためのプログラムで実行することができ、また、このプログラムを計算機によって読み取り可能な記録媒体に記録することができる。（本明細書の全体を通して同様である。）
【００６８】
＜実施形態１：効果＞
【００６９】
コンテンツ情報と、広告情報とを重畳させることにより、コンテンツ情報の視聴者が、必然的に広告情報をも視聴することになり、宣伝効果が期待できる。
【００７０】
また、コンテンツ情報、あるいは、広告情報の供給者は、必要に応じて広告情報を差し替える事ができる。これにより、新商品の宣伝活動をタイミングよく行うことができ、便利である。さらに、同じコンテンツ情報であっても、広告情報が変わることで変化が生じ、複数回同じコンテンツ情報を視聴しても視聴者を飽きさせない。
＜＜実施形態２＞＞
【００７１】
＜実施形態２：概要＞
【００７２】
実施形態２について説明する。本実施形態は、広告情報が、音声、文字、画像のいずれかであることに特徴を有し、実施形態１を基本とする広告情報重畳装置である。
【００７３】
＜実施形態２：構成＞
【００７４】
本実施形態での機能ブロックの一例はすでに図２で示した。
【００７５】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【００７６】
ただし、本実施形態の広告情報取得部（０２０２）で取得する広告情報は、音声、文字、画像のいずれかである点に特徴を有する。
【００７７】
「音声」は、例えば、ナレーターによる朗読、音楽（歌）、サウンド・ロゴなどが該当する。「サウンド・ロゴ」とは、企業、商品サービス等に関する名称、フレーズ、イメージを音楽（または音）によって表現したものをいう。
【００７８】
「文字」は、例えば、言葉や文章として表現された言語、図形、記号を伴う商標などが該当する。文字による情報は、テロップや、字幕などを用いて表される。
【００７９】
「画像」は、動画、静止画などが該当する。
【００８０】
＜実施形態２：具体例＞
【００８１】
図５に、広告情報である音声、文字、画像を重畳する広告情報入りコンテンツ情報の具体例を示した。
【００８２】
画像の場合は、先の映画のコンテンツ「待ち合わせ」の例で示したように、コンテンツの一部分である街頭の大型モニタに、ビールの動画広告が映し出されて、コンテンツと一体になって、ビールの広告・宣伝を行う。
【００８３】
音声の場合は、主人公が街を散歩する場面のコンテンツに対して、通りかかったコンビニエンスストアのサウンド・ロゴが流れることで、コンビニエンスストアの宣伝を目的とする広告情報入りコンテンツ情報とすることができる。
【００８４】
＜実施形態２：効果＞
【００８５】
広告情報が、音声、文字、画像であることによって、重畳するコンテンツと、広告する対象に応じたバリエーション豊富な宣伝活動ができる。
＜＜実施形態３＞＞
【００８６】
＜実施形態３：概要＞
【００８７】
実施形態３について説明する。本実施形態は、コンテンツ情報が、ラジオ番組、テレビ番組、ゲームのいずれかであることに特徴を有し、実施形態１を基本とする広告情報重畳装置である。
【００８８】
＜実施形態３：構成＞
【００８９】
本実施形態での機能ブロックの一例はすでに図２で示した。
【００９０】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【００９１】
ただし、本実施形態のコンテンツ情報取得部（０２０１）で取得する広告情報は、コンテンツ情報が、ラジオ番組、テレビ番組、ゲームのいずれかである点に特徴を有する。
【００９２】
「ラジオ番組」は、無線電波による音声放送の番組であり、例えば、ラジオドラマや、教養番組、娯楽番組などが該当する。コンテンツ情報がラジオ番組の場合には、重畳する広告情報は、音声となる。
【００９３】
「テレビ番組」は、例えば、ドラマ、旅番組、スポーツ中継などが該当する。コンテンツ情報がテレビ番組の場合には、重畳する広告情報は、音声、文字、画像のいずれでもよい。
【００９４】
「ゲーム」は、主にゲーム機器や、コンピュータなどを用いて行われる。ゲーム機器に接続されたモニタの画像や、付随する音声に、広告情報を重畳する。この場合も、重畳する広告情報は、音声、文字、画像のいずれでもよい。
【００９５】
＜実施形態３：具体例＞
【００９６】
図６に、コンテンツ情報であるテレビ番組、ゲームに広告情報を重畳する広告情報入りコンテンツ情報の具体例を示した。
【００９７】
ラジオ番組の場合は、主人公が街を散歩する場面の音声のコンテンツに対して、通りかかったコンビニエンスストアのサウンド・ロゴが流れることで、コンビニエンスストアの宣伝を目的とする広告情報入りコンテンツ情報とすることができる。また、主人公がコンビニエンスストアの前を通りかかったことが視聴者にも分かるため、宣伝効果に加え、ラジオ番組のストーリーがスムーズに伝わるという利点がある。
【００９８】
図６（ａ）のテレビ番組の場合は、野球の中継で、観客席の後ろや、バックネット下などに設置されている実際の広告看板に、ビールの動画広告を重畳して、ビールの広告・宣伝を行う。すなわち、コンテンツ映像中に映し出される広告看板の看板部分に、ビールの動画広告を重畳する。このとき、実際の球場では、広告看板のままなので、試合中の選手の集中力をそぐ心配はない。
【００９９】
図６（ｂ）のゲームの場合は、例えば、レースのゲームにおいて、サーキット脇の看板の映像に、ビールの動画広告を重畳して、ビールの広告・宣伝を行う。コンテンツがゲームの場合は、他のコンテンツ情報に比べて反復して視聴する機会が多い。つまり、それだけ、視聴者が同じ画像、音声を視聴し、飽きやすい傾向にある。しかし、ゲームの一部に広告情報を重畳することによって変化が生まれ、いつも新鮮な気分でゲームを楽しむことができる。
【０１００】
＜実施形態３：効果＞
【０１０１】
コンテンツが、ラジオ番組の場合には、聴覚に集中している視聴者に対して、宣伝効果が高い。
【０１０２】
テレビ番組の場合には、広告看板等の既存の設備を生かしたままで、新たな広告・宣伝活動を行うことができる。
【０１０３】
ゲームの場合には、一部に広告情報を重畳することによってゲームのコンテンツ自体にも変化が生まれ、いつも新鮮な気分でゲームを楽しむことができる。
＜＜実施形態４＞＞
【０１０４】
＜実施形態４：概要＞
【０１０５】
実施形態４について、説明する。本実施形態は、コンテンツの属性を示す情報であるコンテンツ属性情報に基づいて広告情報を定めることに特徴を有し、実施形態１から３のいずれかを基本とする広告情報重畳装置である。
【０１０６】
＜実施形態４：構成＞
【０１０７】
本実施形態での機能ブロックの一例を図７に示す。
【０１０８】
図７に示す本実施形態の「広告情報重畳装置」（０７００）は、「コンテンツ情報取得部」（０７０１）と、「広告情報取得部」（０７０２）と、「広告情報重畳部」（０７０３）と、さらに、「コンテンツ属性情報取得部」（０７０４）とからなる。
【０１０９】
「コンテンツ属性情報取得部」（０７０４）は、コンテンツ属性情報を取得する。
【０１１０】
「コンテンツ属性情報」とは、コンテンツの属性を示す情報であり、前記コンテンツ情報に含まれる。属性は、例えば、ラジオ番組、テレビ番組、ゲームなどの種別などが該当する。その他、映像、音声といったコンテンツの種類や、ドラマ、スポーツ中継といった内容の種別であってもよい。
【０１１１】
コンテンツ情報取得部（０７０１）にて取得したコンテンツ情報からコンテンツ属性情報を取得する。
【０１１２】
「広告情報取得部」（０７０２）は、コンテンツ属性情報取得部で取得したコンテンツ属性情報に基づいて定められる広告情報を取得する。
【０１１３】
広告情報を広告情報の供給者などから取得する際に、コンテンツ属性情報を利用する。コンテンツ属性情報に基づいた一定の条件を満たす広告情報のみを広告情報供給者から受付けるとしてもよいし、すでに取得している複数の広告情報の中から適宜選択できるとしてもよい。
【０１１４】
その他の各部については、実施形態１と同様である。
【０１１５】
＜実施形態４：具体例＞
【０１１６】
図８は、コンテンツ属性情報に基づいて広告情報を取得する広告情報の取得処理の具体例を示した。
【０１１７】
図の左側には、ラジオ番組、テレビ番組、ゲームの種別を含むコンテンツ属性情報を示し、右側には、音声、文字、画像の種別を含む広告情報を示した。ここでは、コンテンツ属性情報ごとに、どのような基準で広告情報を取得（選択）するかの一例を示した。
【０１１８】
例えば、コンテンツ属性情報がラジオ番組の場合は、音声により放送されるが、このコンテンツ情報に対して、文字や画像の広告情報を重畳することはできない。一方、コンテンツ属性情報がテレビ番組の場合は、音声だけでなく、文字や画像の広告情報を重畳することも可能である。ゲームの場合も、テレビ番組と同様である。
【０１１９】
その他には例えば、コンテンツ属性情報がドラマの場合、ドラマを提供するスポンサーの広告情報のみを取得するようにする場合もある。
【０１２０】
＜実施形態４：処理の流れ＞
【０１２１】
図９は、実施形態４での処理の流れの一例を示したものである。本実施形態における広告重畳方法は、以下に示すステップよりなる。
【０１２２】
まず、コンテンツを利用するための情報を含むコンテンツ情報を取得する（コンテンツ情報取得ステップ　Ｓ０９０１）。
【０１２３】
次に、コンテンツ情報取得ステップにて取得したコンテンツ情報に含まれるコンテンツ属性情報を取得する（コンテンツ属性情報取得ステップ　Ｓ０９０２）。
【０１２４】
その次に、コンテンツ属性情報取得ステップで取得したコンテンツ属性情報に基づいて定められる広告情報を取得する（広告情報取得ステップ　Ｓ０９０３）。
【０１２５】
最後に、コンテンツ情報取得ステップにて取得したコンテンツ情報に、広告情報取得ステップにて取得した広告情報を重畳して広告情報入りコンテンツ情報を生成する（広告情報重畳ステップ　Ｓ０９０４）。
【０１２６】
＜実施形態４：効果＞
【０１２７】
コンテンツ情報に、広告情報を重畳するにあたって、コンテンツの属性に基づいて広告情報を取得することで、コンテンツに適した形態、内容の広告情報を重畳することができる。また、コンテンツ属性情報に基づく一定の基準によって、不適当な広告情報自体を取得しないようにすれば、広告情報重畳装置自体のハードウエア資源の有効利用にもなる。
＜＜実施形態５＞＞
【０１２８】
＜実施形態５：概要＞
【０１２９】
実施形態５について、説明する。本実施形態は、利用者の属性を示す情報である利用者属性情報に基づいて広告情報を定めることに特徴を有し、実施形態１から３のいずれかを基本とする広告情報重畳装置である。
【０１３０】
＜実施形態５：構成＞
【０１３１】
本実施形態での機能ブロックの一例を図１０に示す。
【０１３２】
図１０に示す本実施形態の「広告情報重畳装置」（１０００）は、「コンテンツ情報取得部」（１００１）と、「広告情報取得部」（１００２）と、「広告情報重畳部」（１００３）と、さらに、「利用者属性情報取得部」（１００４）とからなる。
【０１３３】
「利用者属性情報取得部」（１００４）は、利用者属性情報を取得する。
【０１３４】
「利用者属性情報」とは、利用者の属性を示す情報である。それは、例えば、性別、年齢、職業、家族構成、居住の地域などが該当する。その他、アンケートの回答により得られた趣味に関する情報や、購入予定商品などであってもよい。
【０１３５】
広告情報重畳装置が家庭用のテレビなどに接続等されている場合には、利用者属性情報は利用者による個人情報の入力やアンケートの回答などにより取得する。また、広告情報重畳装置が放送局などに設置されている場合には、利用者属性情報は各家庭のテレビなどから取得した試聴ログより利用者の属性情報である嗜好を判断する場合もある。
【０１３６】
「広告情報取得部」（１００２）は、利用者属性情報取得部で取得した利用者属性情報に基づいて定められる広告情報を取得する。
【０１３７】
その他の各部については、実施形態１と同様である。
【０１３８】
＜実施形態５：具体例＞
【０１３９】
図１１は、利用者属性情報に基づいて広告情報を取得する広告情報の取得処理の具体的な機能ブロックを示した。
【０１４０】
図１１に示す本実施形態の「広告情報重畳装置」（１１００）は、「コンテンツ情報取得部」（１１０１）と、「広告情報取得部」（１１０２）と、「広告情報重畳部」（１１０３）と、「利用者属性情報取得部」（１１０４）とからなる。
【０１４１】
コンテンツ情報取得部（１１０１）では、コンテンツ情報である「待ち合わせ」のコンテンツを取得する。一方、利用者属性情報取得部（１１０４）では、利用者の入力により、利用者が２０代の女性で、ファッションに興味があることが分かった。これが、利用者属性情報である。
【０１４２】
広告情報取得部（１１０２）では、この利用者属性情報に基づいて、広告情報を取得する。利用者が２０代の女性で、ファッションに興味があることから、今、アパレルメーカーのＣＭと、化粧品のＣＭを取得する。
【０１４３】
広告情報重畳部（１１０３）では、コンテンツ「待ち合わせ」と、上記の化粧品のＣＭである口紅のＣＭを重畳する。コンテンツ情報に対して広告情報を重畳する場合に、その利用者に応じた広告情報を重畳することは、利用者をより注視させる効果が期待できる。
【０１４４】
＜実施形態５：処理の流れ＞
【０１４５】
図１２は、実施形態５での処理の流れの一例を示したものである。本実施形態における広告重畳方法は、以下に示すステップよりなる。
【０１４６】
まず、コンテンツを利用するための情報を含むコンテンツ情報を取得する（コンテンツ情報取得ステップ　Ｓ１２０１）。
【０１４７】
次に、コンテンツ情報の利用者の属性を示す情報である利用者属性情報を取得する（利用者属性情報取得ステップ　Ｓ１２０２）。
【０１４８】
その次に、利用者属性情報取得ステップで取得した利用者属性情報に基づいて定められる広告情報を取得する（広告情報取得ステップ　Ｓ１２０３）。
【０１４９】
最後に、コンテンツ情報取得ステップにて取得したコンテンツ情報に、広告情報取得ステップにて取得した広告情報を重畳して広告情報入りコンテンツ情報を生成する（広告情報重畳ステップ　Ｓ１２０４）。
【０１５０】
＜実施形態５：効果＞
【０１５１】
コンテンツ情報に対して広告情報を重畳する場合に、利用者属性情報を用いて広告情報を定めることは、利用者の興味や嗜好に合わせた広告情報を重畳することができるため、より広告情報に利用者を注視させる効果が期待できる。
＜＜実施形態６＞＞
【０１５２】
＜実施形態６：概要＞
【０１５３】
実施形態６について、説明する。本実施形態は、コンテンツ情報を利用する際の環境を示す情報である利用環境情報に基づいて広告情報を定めることに特徴を有し、実施形態１から３のいずれかを基本とする広告情報重畳装置である。
【０１５４】
＜実施形態６：構成＞
【０１５５】
本実施形態での機能ブロックの一例を図１３に示す。
【０１５６】
図１３に示す本実施形態の「広告情報重畳装置」（１３００）は、「コンテンツ情報取得部」（１３０１）と、「広告情報取得部」（１３０２）と、「広告情報重畳部」（１３０３）と、さらに、「利用環境情報取得部」（１３０４）とからなる。
【０１５７】
「利用環境情報取得部」（１３０４）は、利用環境情報を取得する。
【０１５８】
「利用環境情報」とは、コンテンツ情報の利用の際の天候、時間、再生場所のいずれか一又は組合せに関する情報である。天候に関する情報は、晴天、雪などの他、気温や不快指数などの定量的な値で示される場合もある。時間に関する情報は、現に利用者が視聴している現在時刻、連続視聴時間などがある。また、再生場所に関する情報は、地理的な場所（関東地方、横浜市など）の他、位置的な場所（自宅で、会社でなど）、回線の種類（ナローバンド、ブロードバンドなど）で示される場合もある。
【０１５９】
利用環境情報は、利用者による入力やコンテンツの視聴ログ、あるいは、第三者機関（気象庁等）などから取得することができる。
【０１６０】
「広告情報取得部」（１３０２）は、利用環境情報取得部で取得した利用環境情報に基づいて定められる広告情報を取得する。つまりここでは、一定の条件に見合う広告情報のみを取得する。
【０１６１】
その他の各部については、実施形態１と同様である。
【０１６２】
＜実施形態６：具体例＞
【０１６３】
図１４は、利用環境情報に基づいて広告情報を取得する広告情報の取得処理の具体的な機能ブロックを示した。
【０１６４】
図１４に示す本実施形態の「広告情報重畳装置」（１４００）は、「コンテンツ情報取得部」（１４０１）と、「広告情報取得部」（１４０２）と、「広告情報重畳部」（１４０３）と、「利用環境情報取得部」（１４０４）とからなる。
【０１６５】
コンテンツ情報取得部（１４０１）では、コンテンツ情報である「待ち合わせ」のコンテンツを取得する。一方、利用環境情報取得部（１４０４）では、例えば気象庁からの天気の情報を取得する。ここで、利用者がコンテンツの視聴を行っている現在の天気の情報である利用環境情報は、「快晴、気温３０度、不快指数７０」である。この情報により、暑さで人口の半数以上が不快を感じる状況であることが分かる。
【０１６６】
広告情報取得部（１４０２）では、この利用環境情報に基づいて、広告情報を取得する。気温が高く暑いことから、さまざまな種類の広告の中でも、ビールのＣＭと、海水浴場のＣＭを取得する。
【０１６７】
広告情報重畳部（１４０３）では、コンテンツ「待ち合わせ」と、上記の海水浴場のＣＭを重畳する。予め、利用環境情報に基づいて最適の広告情報が取得されているため、ここではその広告情報をコンテンツ情報に重畳するだけで、高い広告効果が期待できる。
【０１６８】
さらに、利用環境情報に基づく広告情報としては、居住の地域に基づいて、その地域限定の広告を定める場合や、視聴する時間に基づいて、放送時間の制限付きで放送が認められる広告（たばこ、消費者金融など）を定める場合がある。また、利用者が、ナローバンドでコンテンツの視聴を行っている場合には、容量の大きな画像の広告情報は避けるなどの態様をとることができる。
【０１６９】
ここで、利用環境情報は、天気、時間、再生場所の組合せでもよいので、先の例で、さらに利用者の居所近郊の海水浴場に絞って重畳することが可能である。
【０１７０】
＜実施形態６：処理の流れ＞
【０１７１】
図１５は、実施形態６での処理の流れの一例を示したものである。本実施形態における広告重畳方法は、以下に示すステップよりなる。
【０１７２】
まず、コンテンツを利用するための情報を含むコンテンツ情報を取得する（コンテンツ情報取得ステップ　Ｓ１５０１）。
【０１７３】
次に、コンテンツ情報の利用の際の天候、時間、再生場所のいずれか一又は組合せに関する情報である利用環境情報を取得する（利用環境情報取得ステップ　Ｓ１５０２）。
【０１７４】
その次に、利用環境情報取得ステップで取得した利用環境情報に基づいて定められる広告情報を取得する（広告情報取得ステップ　Ｓ１５０３）。
【０１７５】
最後に、コンテンツ情報取得ステップにて取得したコンテンツ情報に、広告情報取得ステップにて取得した広告情報を重畳して広告情報入りコンテンツ情報を生成する（広告情報重畳ステップ　Ｓ１５０４）。
【０１７６】
＜実施形態６：効果＞
【０１７７】
広告情報を取得する際に、利用環境情報を用いて広告情報を定めることは、利用者の状況や、ニーズに合わせた広告情報を取得することができ、効果的である。また、広告効果が見込まれない広告情報を、利用環境情報を利用して判断し、取得しないようにすることで、広告情報重畳装置の資源を有効に活用することができる。
＜＜実施形態７＞＞
【０１７８】
＜実施形態７：概要＞
【０１７９】
実施形態７について、説明する。本実施形態は、広告情報を重畳するタイミングを定める情報であるタイミング情報に基づいて広告情報を重畳することに特徴を有し、実施形態１から３のいずれかを基本とする広告情報重畳装置である。
【０１８０】
＜実施形態７：構成＞
【０１８１】
本実施形態での機能ブロックの一例はすでに図２で示したものと同様である。
【０１８２】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【０１８３】
「コンテンツ情報取得部」（０２０１）は、タイミング情報を含むコンテンツ情報を取得する。
【０１８４】
「タイミング情報」は、広告情報を重畳するタイミングを定める情報である。例えば、コンテンツ「待ち合わせ」の場合では、広告情報を重畳させる大型モニタの画面が登場する場面の開始・終了時刻が該当する。あるいは、広告情報を重畳してもよい部分に、重畳を許可することを示す識別情報として、タイミング情報を利用してもよい。
【０１８５】
「広告情報重畳部」（０２０３）は、前記タイミング情報に基づいて広告情報を重畳して広告情報入りコンテンツ情報を生成する。
【０１８６】
具体的には、タイミング情報が広告情報を重畳する場面の開始・終了時刻を示す場合には、開始時刻から終了時刻までの間、広告情報を重畳する。また、タイミング情報が広告情報の重畳を許可することを示す識別情報である場合には、タイミング情報が重畳可の間、広告情報を重畳する。
【０１８７】
＜実施形態７：具体例＞
【０１８８】
図１６は、タイミング情報に基づいて広告情報を重畳する広告情報重畳部での処理の具体例を示した。コンテンツ「待ち合わせ」に対して、ビールのＣＭの広告情報を重畳する。（ａ）は、タイミング情報が広告情報を重畳する場面の開始・終了時刻を示す場合を示したものである。図のように、広告情報重畳装置は、タイミング情報で示された開始時刻（２分３０秒）から終了時刻（４分）までの間、広告情報を重畳する。
【０１８９】
また、（ｂ）は、タイミング情報が広告情報の重畳を許可することを示す識別情報を示す場合を示したものである。図のように、広告情報重畳装置は、タイミング情報が重畳可（ＯＫの表示）の間、広告情報を重畳する。
【０１９０】
＜実施形態７：処理の流れ＞
【０１９１】
図１７は、実施形態７での処理の流れの一例を示したものである。本実施形態における広告重畳方法は、以下に示すステップよりなる。
【０１９２】
まず、広告情報を重畳するタイミングを定める情報であるタイミング情報を含むコンテンツ情報を取得する（コンテンツ情報取得ステップ　Ｓ１７０１）。
【０１９３】
次に、広告情報を取得する（広告情報取得ステップ　Ｓ１７０２）。
【０１９４】
最後に、前記タイミング情報に基づいて広告情報を重畳して広告情報入りコンテンツ情報を生成する（広告情報重畳ステップ　Ｓ１７０３）。
【０１９５】
＜実施形態７：効果＞
【０１９６】
コンテンツ情報に対して広告情報を重畳する場合に、タイミング情報を用いて広告情報を定めることは、コンテンツの特定の部分に広告情報を重畳させたい場合に、便利である。
＜＜実施形態８＞＞
【０１９７】
＜実施形態８：概要＞
【０１９８】
実施形態８について、説明する。本実施形態は、利用環境情報に基づいて広告情報を重畳することに特徴を有し、実施形態１から３のいずれかを基本とする広告情報重畳装置である。
【０１９９】
＜実施形態８：構成＞
【０２００】
本実施形態での機能ブロックの一例を図１８に示す。
【０２０１】
図１８に示す本実施形態の「広告情報重畳装置」（１８００）は、「コンテンツ情報取得部」（１８０１）と、「広告情報取得部」（１８０２）と、「広告情報重畳部」（１８０３）と、「利用環境情報取得部」（１８０４）とからなる。
【０２０２】
「利用環境情報取得部」（１８０４）は、利用環境情報を取得する。
【０２０３】
「広告情報重畳部」（１８０３）は、前記利用環境情報に基づいて広告情報を重畳して広告情報入りコンテンツ情報を生成する。
【０２０４】
本実施形態と、実施形態６との相違点は、広告情報を取得する際には、特段の取捨選択は行わないで、広く多数の種類の広告情報を取得しておいて、コンテンツ情報に重畳するときに、利用環境情報に基づいて選択する点である。
【０２０５】
その他の各部については、実施形態１と同様である。
【０２０６】
＜実施形態８：具体例＞
【０２０７】
図１９は、利用環境情報に基づいて広告情報を取得する広告情報の取得処理の具体的な機能ブロックを示した。
【０２０８】
図１９に示す本実施形態の「広告情報重畳装置」（１９００）は、「コンテンツ情報取得部」（１９０１）と、「広告情報取得部」（１９０２）と、「広告情報重畳部」（１９０３）と、「利用環境情報取得部」（１９０４）とからなる。
【０２０９】
コンテンツ情報取得部（１９０１）では、コンテンツ情報である「待ち合わせ」のコンテンツを取得する。一方、広告情報取得部（１９０２）は、広告情報を取得する。ここでは、広く多数の種類の広告情報を取得することができる。一例として、海水浴場のＣＭと、遊園地のＣＭを取得したとする。
【０２１０】
また、利用環境情報取得部（１９０４）では、例えば気象庁からの天気の情報を取得する。ここで、利用者がコンテンツの視聴を行っている現在の天気の情報である利用環境情報は、「快晴、気温３０度、不快指数７０」である。この情報により、暑さで人口の半数以上が不快を感じる状況であることが分かる。
【０２１１】
広告情報重畳部（１９０３）では、コンテンツ「待ち合わせ」と、取得した広告情報を重畳する。このとき、利用環境情報に基づいて、広告情報を選択する。気温が高く暑いことから、遊園地のＣＭよりも、海水浴場のＣＭの方がより視聴者に対する広告効果が高いと予想される。したがって、海水浴場のＣＭを重畳する。コンテンツ情報に対して広告情報を重畳する場合に、その利用環境に応じた広告情報を重畳することは、利用者のニーズに沿うため、高い広告効果が期待できる。
【０２１２】
＜実施形態８：処理の流れ＞
【０２１３】
図２０は、実施形態８での処理の流れの一例を示したものである。本実施形態における広告重畳方法は、以下に示すステップよりなる。
【０２１４】
まず、コンテンツを利用するための情報を含むコンテンツ情報を取得する（コンテンツ情報取得ステップ　Ｓ２００１）。
【０２１５】
次に、コンテンツ情報の利用の際の天候、時間、再生場所のいずれか一又は組合せに関する情報である利用環境情報を取得する（利用環境情報取得ステップ　Ｓ２００２）。
【０２１６】
その次に、広告情報を取得する（広告情報取得ステップ　Ｓ２００３）。
【０２１７】
最後に、前記利用環境情報に基づいて広告情報を重畳して広告情報入りコンテンツ情報を生成する（広告情報重畳ステップ　Ｓ２００４）。
【０２１８】
＜実施形態８：効果＞
【０２１９】
コンテンツ情報に対して広告情報を重畳する場合に、利用環境情報を用いて広告情報を定めることは、利用者の状況や、ニーズに合わせた広告情報を重畳することができるため、さらに広告情報に利用者を注視させる効果が期待できる。
＜＜実施形態９＞＞
【０２２０】
＜実施形態９：概要＞
【０２２１】
実施形態９について、説明する。本実施形態は、コンテンツ利用状況情報に基づいて重畳すべき広告情報を決定する広告情報決定装置である。
【０２２２】
＜実施形態９：構成＞
【０２２３】
本実施形態での機能ブロックの一例を図２１に示す。
【０２２４】
図２１に示す本実施形態の「広告情報決定装置」（２１００）は、「コンテンツ利用状況情報取得部」（２１０１）と、「広告情報決定情報取得部」（２１０２）とからなる。
【０２２５】
「コンテンツ利用状況情報取得部」（２１０１）は、コンテンツ利用状況情報を取得する。
【０２２６】
「コンテンツ利用状況情報」とは、コンテンツ情報の利用状況を示す情報である。例えば、ある人物についてのコンテンツの嗜好に関する情報である。コンテンツ利用状況情報は、利用者からのアンケートの回答、コンテンツの視聴ログなどにより取得する。
【０２２７】
「広告情報決定情報取得部」（２１０２）は、前記コンテンツ利用状況情報取得部（２１０１）で取得したコンテンツ利用状況情報に基づいて、広告情報決定情報を取得する。
【０２２８】
「広告情報決定情報」とは、前記コンテンツに対して重畳すべき広告情報を決定するための情報である。例えば、広告情報の識別情報などを指定するための情報でもよいし、複数の広告情報に対する優先順位を決定するための情報などでもよい。
【０２２９】
広告情報決定情報取得部での広告情報決定情報を取得する処理は、主に内部的に広告情報決定情報を生成することが多い。
【０２３０】
広告情報決定装置は、家庭にあるコンテンツ再生装置（例えばテレビなど）に接続され、あるいは、内蔵されて、主として一般視聴者によって利用される場合のほか、放送局などで広告情報の配信の際に利用される場合もある。（本明細書中、特に断りがない限り同様である。）
【０２３１】
＜実施形態９：具体例＞
【０２３２】
図２２は、コンテンツ利用状況情報に基づいて広告情報を決定する広告情報決定装置における具体的な機能ブロックを示した。
【０２３３】
図２２に示す本実施形態の「広告情報決定装置」（２２００）は、「コンテンツ利用状況情報取得部」（２２０１）と、「広告情報決定情報取得部」（２２０２）とからなる。
【０２３４】
コンテンツ利用状況情報取得部（２２０１）では、コンテンツ利用状況情報を取得する。具体的には、英会話講座のコンテンツの視聴頻度が高いなどの情報がコンテンツ利用状況情報として取得される。ある一定の基準を設け、例えば、平均視聴頻度の２倍以上になるとコンテンツ利用状況情報とする等して、取得処理を行うことができる。
【０２３５】
このコンテンツ利用状況情報に基づいて、広告情報決定情報取得部（２２０２）では、広告情報決定情報を取得する。コンテンツ利用状況情報で視聴頻度が高いコンテンツが英会話講座のコンテンツである場合には、英会話スクールや、旅行ツアーなどの広告情報を優先して重畳することができるような広告情報決定情報を取得する。ここでは、広告情報決定情報は、英会話に関連する広告情報の優先順位を高くするとした。したがって、この広告情報決定情報で、広告情報を決定した場合には、例えば、英会話とは直接関係のない自動車教習場などの広告情報の優先順位は低くなる。
【０２３６】
＜実施形態９：処理の流れ＞
【０２３７】
図２３は、実施形態９での処理の流れの一例を示したものである。本実施形態における広告情報決定方法は、以下に示すステップよりなる。
【０２３８】
まず、コンテンツ情報の利用状況を示す情報であるコンテンツ利用状況情報を取得する（コンテンツ利用状況情報取得ステップ　Ｓ２３０１）。
【０２３９】
その後、前記コンテンツ利用状況情報取得ステップにおいて取得したコンテンツ利用状況情報に基づいて、前記コンテンツに対して重畳すべき広告情報を決定するための情報である広告情報決定情報を取得する（広告情報決定情報取得ステップ　Ｓ２３０２）。
【０２４０】
＜実施形態９：効果＞
【０２４１】
広告情報を決定する場合に、コンテンツ利用状況情報を用いることは、利用者の嗜好に合わせて広告情報を決定することができるため、さらに広告情報に利用者を注視させる効果が期待できる。
＜＜実施形態１０＞＞
【０２４２】
＜実施形態１０：概要＞
【０２４３】
実施形態１０について、説明する。本実施形態は、コンテンツ利用装置からのコンテンツ利用状況情報に基づいて取得した広告情報決定情報を、コンテンツ利用装置へ送信することに特徴を有し、実施形態９に記載の広告情報決定装置を基本とするものである。
【０２４４】
＜実施形態１０：構成＞
【０２４５】
本実施形態での機能ブロックの一例を図２４に示す。
【０２４６】
図２４に示す本実施形態の「広告情報決定装置」（２４００）は、「コンテンツ利用状況情報取得部」（２４０１）と、「広告情報決定情報取得部」（２４０２）と、さらに、「広告情報決定情報送信部」（２４０３）からなる。
【０２４７】
「コンテンツ利用状況情報取得部」（２４０１）は、コンテンツを利用しているコンテンツ利用装置から通信回線を通じてコンテンツ利用状況情報を取得する。
【０２４８】
コンテンツの利用とは、コンテンツの再生、配信、生成などを広く含む。例えば、コンテンツの利用装置が再生を行う再生装置であった場合には、再生装置はどのコンテンツを、いつ再生したか等の再生状況をコンテンツ決定装置が取得できるようにコンテンツ利用状況として記録しておく。
【０２４９】
「広告情報決定情報送信部」（２４０３）は、前記広告情報決定情報取得部（２４０２）で取得した広告情報決定情報を、前記コンテンツ利用装置に対して送信する。例えば、コンテンツ利用装置が重畳すべき広告情報を蓄積している場合には、受信した広告情報決定情報を広告の選択などに利用することができる。
【０２５０】
また、コンテンツ利用装置だけでなく、広告情報重畳装置に対して広告情報決定情報を送信する場合もある。広告情報決定情報を受信する広告情報重畳装置については、実施形態１１にて説明する。
【０２５１】
＜実施形態１０：処理の流れ＞
【０２５２】
図２５は、実施形態１０での処理の流れの一例を示したものである。本実施形態における広告情報決定情報の送信方法は、以下に示すステップよりなる。
【０２５３】
まず、コンテンツを利用しているコンテンツ利用装置から通信回線を通じてコンテンツ利用状況情報を取得する（コンテンツ利用状況情報取得ステップ　Ｓ２５０１）。
【０２５４】
その後、前記コンテンツ利用状況情報取得ステップにおいて取得したコンテンツ利用状況情報に基づいて、前記コンテンツに対して重畳すべき広告情報を決定するための情報である広告情報決定情報を取得する（広告情報決定情報取得ステップ　Ｓ２５０２）。
【０２５５】
前記広告情報決定情報取得ステップにおいて取得した広告情報決定情報を、前記コンテンツ利用装置に対して送信する（広告情報決定情報送信ステップ　Ｓ２５０３）。
【０２５６】
＜実施形態１０：効果＞
【０２５７】
コンテンツ利用状況情報を、コンテンツ利用装置から通信回線を通じて取得し、それに基づいて取得した広告情報決定情報をさらに、コンテンツ利用装置に送信することで、コンテンツ利用装置は広告情報の選択を容易に行うことができる。
＜＜実施形態１１＞＞
【０２５８】
＜実施形態１１：概要＞
【０２５９】
実施形態１１について、説明する。本実施形態は、実施形態１０に記載の広告情報決定装置から送信された広告情報決定情報に基づいて、広告情報を取得することに特徴を有し、実施形態１から３に記載の広告情報重畳装置を基本とするものである。
【０２６０】
＜実施形態１１：構成＞
【０２６１】
本実施形態での機能ブロックの一例を図２６に示す。
【０２６２】
図２６に示す本実施形態の「広告情報重畳装置」（２６００）は、「コンテンツ情報取得部」（２６０１）と、「広告情報取得部」（２６０２）と、「広告情報重畳部」（２６０３）と、さらに、「広告情報決定情報受信部」（２６０４）とからなる。
【０２６３】
「広告情報決定情報受信部」（２６０４）は、実施形態１０に記載の広告情報決定装置から送信された広告情報決定情報を受信する。
【０２６４】
「広告情報取得部」（２６０２）は、前記広告情報決定情報受信部（２６０４）で受信した広告情報決定情報に基づいて広告情報を取得する。
【０２６５】
本実施形態での広告情報重畳装置は、主として家庭にあるコンテンツ再生装置（例えばテレビなど）に接続され、あるいは、内蔵されて利用されることを想定したものである。
【０２６６】
その他の各部については、実施形態１と同様である。
【０２６７】
＜実施形態１１：具体例＞
【０２６８】
図２７は、広告情報決定情報に基づいて広告情報を取得する広告情報の取得処理の具体的な機能ブロックを示した。
【０２６９】
図２７に示す本実施形態の「広告情報重畳装置」（２７００）は、「コンテンツ情報取得部」（２７０１）と、「広告情報取得部」（２７０２）と、「広告情報重畳部」（２７０３）と、「広告情報決定情報受信部」（２７０４）とからなる。
【０２７０】
コンテンツ情報取得部（２７０１）では、コンテンツ情報である「待ち合わせ」のコンテンツを取得する。一方、広告情報決定情報受信部（２７０４）では、広告情報決定装置より広告情報決定情報を受信する。広告情報決定情報は、前記コンテンツに対して重畳すべき広告情報を決定するための情報であり、ここでは例えば、英会話に関連する広告情報の優先順位を高くすることを内容とした。
【０２７１】
広告情報取得部（２７０２）では、この広告情報決定情報に基づいて、広告情報を取得する。今、広告情報取得部でも、英会話に関連する広告情報を優先して取得する。例えば、英会話スクールや、旅行ツアーなどの広告情報を優先し、英会話に直接関連しない自動車教習所の広告情報は取得しない、あるいは、取得しても優先順位を低く設定する。
【０２７２】
広告情報重畳部（２７０３）では、コンテンツ「待ち合わせ」と、取得した広告情報である英会話スクールのＣＭを重畳する。取得した複数の広告情報のうちでも、広告情報決定情報によって、利用者のニーズに合致するように広告情報の優先順位などが設定されているので、利用者をより注視させる効果が期待できる。一方で、取得した広告情報を優先順位などにしたがって重畳させる場合に、結果的に英会話に直接関連しない自動車教習所の広告情報を重畳させる場合もある。
【０２７３】
＜実施形態１１：処理の流れ＞
【０２７４】
図２８は、実施形態１１での処理の流れの一例を示したものである。本実施形態における広告重畳方法は、以下に示すステップよりなる。
【０２７５】
まず、コンテンツを利用するための情報を含むコンテンツ情報を取得する（コンテンツ情報取得ステップ　Ｓ２８０１）。
【０２７６】
次に、広告情報決定装置から送信された広告情報決定情報を受信する（広告情報決定情報受信ステップ　Ｓ２８０２）。
【０２７７】
その次に、広告情報決定情報受信ステップで受信した広告情報決定情報に基づいて定められる広告情報を取得する（広告情報取得ステップ　Ｓ２８０３）。
【０２７８】
最後に、コンテンツ情報取得ステップにて取得したコンテンツ情報に、広告情報取得ステップにて取得した広告情報を重畳して広告情報入りコンテンツ情報を生成する（広告情報重畳ステップ　Ｓ２８０４）。
【０２７９】
＜実施形態１１：効果＞
【０２８０】
取得した複数の広告情報のうちでも、広告情報決定情報によって、利用者のニーズに合致するように広告情報の優先順位などが設定されているので、利用者をより注視させる効果が期待できる。
＜＜実施形態１２＞＞
【０２８１】
＜実施形態１２：概要＞
【０２８２】
実施形態１２について、説明する。本実施形態は、コンテンツ送信状況情報に基づいて重畳すべき広告情報を決定する広告情報決定装置である。
【０２８３】
＜実施形態１２：構成＞
【０２８４】
本実施形態での機能ブロックの一例を図２９に示す。
【０２８５】
図２９に示す本実施形態の「広告情報決定装置」（２９００）は、「コンテンツ送信状況情報取得部」（２９０１）と、「広告情報決定情報取得部」（２９０２）とからなる。
【０２８６】
「コンテンツ送信状況情報取得部」（２９０１）は、コンテンツ送信状況情報を取得する。
【０２８７】
「コンテンツ送信状況情報」とは、コンテンツ情報の送信状況を示す情報である。例えば、コンテンツのタイトル、コンテンツの送信時間、送信回数、現在放映中の場合にはそのシーン、回線の種類（ナローバンド、ブロードバンドなど）が該当する。
【０２８８】
「広告情報決定情報取得部」（２９０２）は、前記コンテンツ送信状況情報取得部（２９０１）で取得したコンテンツ送信状況情報に基づいて、広告情報決定情報を取得する。
【０２８９】
＜実施形態１２：具体例＞
【０２９０】
図３０は、コンテンツ送信状況情報に基づいて広告情報を決定する広告情報決定装置における具体的な機能ブロックを示した。
【０２９１】
図３０に示す本実施形態の「広告情報決定装置」（３０００）は、「コンテンツ送信状況情報取得部」（３００１）と、「広告情報決定情報取得部」（３００２）とからなる。
【０２９２】
コンテンツ送信状況情報取得部（３００１）では、コンテンツ送信状況情報を取得する。具体的には、コンテンツが野球の生中継であり、現在放映中のシーンの情報がコンテンツ送信状況情報として取得される。
【０２９３】
このコンテンツ送信状況情報に基づいて、広告情報決定情報取得部（３００２）では、広告情報決定情報を取得する。コンテンツ送信状況情報で、現在放映中のシーンが分かるので、野球の場合には、例えば、攻守の交代時のように広告情報を重畳してもよいタイミングを見計らって広告情報を重畳するタイミングを広告情報決定情報としてもよい。
【０２９４】
その他、コンテンツ送信状況情報より、コンテンツの送信時間帯として深夜が多い場合には、昼間の時間帯は規制対象となるような広告情報（例えば、たばこ、ギャンブル、消費者金融など）であっても、広告情報を決定するために広告情報決定情報としてもよい。あるいは、食事時間帯が多い場合には、レストラン、食料品などの広告情報を決定するために広告情報決定情報としてもよい。また、コンテンツ送信状況情報で、使用回線がブロードバンドの場合には、動画の広告情報を送信しても、回線の負荷にならないので、広告情報決定情報を動画としてもよい。
【０２９５】
＜実施形態１２：処理の流れ＞
【０２９６】
図３１は、実施形態１２での処理の流れの一例を示したものである。本実施形態における広告情報決定方法は、以下に示すステップよりなる。
【０２９７】
まず、コンテンツ情報の送信状況を示す情報であるコンテンツ送信状況情報を取得する（コンテンツ送信状況情報取得ステップ　Ｓ３１０１）。
【０２９８】
その後、前記コンテンツ送信状況情報取得ステップにおいて取得したコンテンツ送信状況情報に基づいて、前記コンテンツに対して重畳すべき広告情報を決定するための情報である広告情報決定情報を取得する（広告情報決定情報取得ステップ　Ｓ３１０２）。
【０２９９】
＜実施形態１２：効果＞
【０３００】
広告情報を決定する場合に、コンテンツ送信状況情報を用いることで、あらかじめ広告情報の重畳が可能なタイミングが予測できないコンテンツへの広告情報の重畳を容易に行うことができる。
＜＜実施形態１３＞＞
【０３０１】
＜実施形態１３：概要＞
【０３０２】
実施形態１３について、説明する。本実施形態は、コンテンツプロバイダーからのコンテンツ送信状況情報に基づいて取得した広告情報決定情報を、コンテンツプロバイダーへ送信することに特徴を有し、実施形態１２に記載の広告情報決定装置を基本とするものである。
【０３０３】
＜実施形態１３：構成＞
【０３０４】
本実施形態での機能ブロックの一例を図３２に示す。
【０３０５】
図３２に示す本実施形態の「広告情報決定装置」（３２００）は、「コンテンツ送信状況情報取得部」（３２０１）と、「広告情報決定情報取得部」（３２０２）と、さらに、「広告情報決定情報送信部」（３２０３）からなる。
【０３０６】
「コンテンツ送信状況情報取得部」（３２０１）は、コンテンツをストリーミング送信しているコンテンツプロバイダーからコンテンツ送信状況情報を取得する。
【０３０７】
「コンテンツのストリーミング送信」とは、インターネットなどのネットワークを通じて映像や音声などのマルチメディアデータを視聴する際に、データを受信しながら同時に再生を行うことができるように送信を行う方式である。このストリーミング送信は、コンテンツプロバイダー（インターネット回線接続業者）によって行われる。コンテンツのストリーミング送信とは別に、コンテンツ送信状況情報を広告情報決定装置に渡す。
【０３０８】
「広告情報決定情報送信部」（３２０３）は、前記広告情報決定情報取得部（３２０２）で取得した広告情報決定情報を、前記コンテンツプロバイダーに対して送信する。広告情報決定装置は、広告情報決定情報を送信することで、その広告情報を推薦する。
【０３０９】
また、コンテンツプロバイダーだけでなく、広告情報重畳装置に対して広告情報決定情報を送信する場合もある。広告情報決定情報を受信する広告情報重畳装置については、実施形態１４にて説明する。
【０３１０】
＜実施形態１３：処理の流れ＞
【０３１１】
図３３は、実施形態１３での処理の流れの一例を示したものである。本実施形態における広告情報決定情報の送信方法は、以下に示すステップよりなる。
【０３１２】
まず、コンテンツをストリーミング送信しているコンテンツプロバイダーからコンテンツ送信状況情報を取得する（コンテンツ送信状況情報取得ステップ　Ｓ３３０１）。
【０３１３】
その後、前記コンテンツ送信状況情報取得ステップにおいて取得したコンテンツ送信状況情報に基づいて、前記コンテンツに対して重畳すべき広告情報を決定するための情報である広告情報決定情報を取得する（広告情報決定情報取得ステップ　Ｓ３３０２）。
【０３１４】
前記広告情報決定情報取得ステップにおいて取得した広告情報決定情報を、前記コンテンツプロバイダーに対して送信する（広告情報決定情報送信ステップ　Ｓ３３０３）。
【０３１５】
＜実施形態１３：効果＞
【０３１６】
コンテンツ送信状況情報を、コンテンツプロバイダーから取得し、それに基づいて取得した広告情報決定情報をさらに、コンテンツプロバイダーに送信することで、広告情報をコンテンツプロバイダーに推薦することができる。また、広告情報を推薦することに対して、対価を発生させて新たなビジネスとすることもできる。
＜＜実施形態１４＞＞
【０３１７】
＜実施形態１４：概要＞
【０３１８】
実施形態１４について、説明する。本実施形態は、実施形態１３に記載の広告情報決定装置から送信された広告情報決定情報に基づいて、広告情報を取得することに特徴を有し、実施形態１から３に記載の広告情報重畳装置を基本とするものである。
【０３１９】
＜実施形態１４：構成＞
【０３２０】
本実施形態での機能ブロックは、実施形態１１ですでに図２６に示したものと同様である。
【０３２１】
図２６に示す本実施形態の「広告情報重畳装置」（２６００）は、「コンテンツ情報取得部」（２６０１）と、「広告情報取得部」（２６０２）と、「広告情報重畳部」（２６０３）と、さらに、「広告情報決定情報受信部」（２６０４）とからなる。
【０３２２】
「広告情報決定情報受信部」（２６０４）は、実施形態１３に記載の広告情報決定装置から送信された広告情報決定情報を受信する。
【０３２３】
実施形態１１との相違点は、広告情報決定情報が実施形態１３で説明した広告情報決定装置から送信される点である。つまり、実施形態１１の場合は、コンテンツ利用状況情報に基づいて広告情報決定情報が取得されたが、本実施形態では、コンテンツ送信状況情報に基づいて取得されたものである。また、本実施形態の広告情報重畳装置は、主に放送局に設置されることを想定されたものである。
【０３２４】
その他については、実施形態１１と同様である。
【０３２５】
＜実施形態１４：効果＞
【０３２６】
コンテンツ送信状況情報に基づいて取得された広告情報決定情報によって、広告情報を取得することで、利用者の利用する回線などに応じて、各利用者に適した広告情報を重畳することができる。
＜＜実施形態１５＞＞
【０３２７】
＜実施形態１５：概要＞
【０３２８】
実施形態１５について、説明する。本実施形態は、広告情報配信サーバから配信される広告情報を取得することに特徴を有し、実施形態１から３に記載の広告情報重畳装置を基本とするものである。
【０３２９】
＜実施形態１５：構成＞
【０３３０】
本実施形態での機能ブロックは、実施形態１ですでに図２に示したものと同様である。
【０３３１】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【０３３２】
「広告情報取得部」（０２０２）は、広告情報配信サーバから配信される広告情報を取得する。
【０３３３】
「広告情報配信サーバ」とは、広告情報を配信するサーバである。広告情報配信サーバは、例えば、広告情報を作成する広告代理店や、広告情報の提供主体である商品等の販売者の有するサーバ装置などが該当する。
【０３３４】
＜実施形態１５：効果＞
【０３３５】
広告情報配信サーバから配信される広告情報は、広告情報重畳装置内に蓄積される広告情報と比べてはるかに多いので、多数の選択肢の中から重畳すべき広告情報を選択することができる。
【０３３６】
また、広告情報を常時最新の情報に更新する等の処理は、広告情報配信サーバが行う。したがって、広告情報重畳装置が設置された自宅や放送局などの広告情報の管理負担を軽減することにもなる。
＜＜実施形態１６＞＞
【０３３７】
＜実施形態１６：概要＞
【０３３８】
実施形態１６について、説明する。本実施形態は、広告情報を重畳して生成した広告情報入りコンテンツ情報をストリーミング送信するコンテンツ送信装置である。
【０３３９】
＜実施形態１６：構成＞
【０３４０】
本実施形態での機能ブロックの一例を図３４に示す。
【０３４１】
図３４に示す本実施形態の「コンテンツ送信装置」（３４００）は、「コンテンツ情報取得部」（３４０１）と、「広告情報取得部」（３４０２）と、「広告情報重畳部」（３４０３）と、「ストリーミング送信部」（３４０４）とからなる。
【０３４２】
「コンテンツ情報取得部」（３４０１）は、コンテンツ情報を取得する。
【０３４３】
「広告情報取得部」（３４０２）は、広告情報を取得する。
【０３４４】
「広告情報重畳部」（３４０３）は、コンテンツ情報取得部（３４０１）で取得したコンテンツ情報に、広告情報取得部（３４０２）で取得した広告情報を重畳して広告情報入りコンテンツ情報を生成する。
【０３４５】
ここでは、広告情報重畳装置を介することなく、コンテンツ送信装置自体が広告情報の重畳処理ができる。したがって、コンテンツの再生機能しかもたない装置であっても、広告情報が重畳された広告情報入りコンテンツ情報の再生を可能とする。
【０３４６】
「ストリーミング送信部」（３４０４）は、広告情報重畳部（３４０３）で重畳した広告情報入りコンテンツ情報をストリーミング送信する。
【０３４７】
受信側は、広告情報入りコンテンツ情報を受信しながら同時に再生を行うことができる。ストリーミング送信することで、受信側は低速な回線でも広告情報入りコンテンツ情報のリアルタイムでの再生が可能となる。これにより、従来のように、すべてのデータが受信完了するまで待つ必要性がなくなり、利用者にとって便利である。
【０３４８】
＜実施形態１６：処理の流れ＞
【０３４９】
図３５は、実施形態１６での処理の流れの一例を示したものである。本実施形態におけるコンテンツ送信方法は、以下に示すステップよりなる。
【０３５０】
まず、コンテンツ情報を取得する（コンテンツ情報取得ステップ　Ｓ３５０１）。
【０３５１】
次に、広告情報を取得する（広告情報取得ステップ　Ｓ３５０２）。
【０３５２】
コンテンツ情報取得ステップにて取得したコンテンツ情報に、広告情報取得ステップにて取得した広告情報を重畳して広告情報入りコンテンツ情報を生成する（広告情報重畳ステップ　Ｓ３５０３）。
【０３５３】
最後に、広告情報重畳ステップで重畳した広告情報入りコンテンツ情報をストリーミング送信する（ストリーミング送信ステップ　Ｓ３５０４）。
【０３５４】
＜実施形態１６：効果＞
【０３５５】
コンテンツ送信装置は、あらかじめ、重畳する広告情報の内容が分かっているため、ストリーミング送信のために、準備することができる。これは、すべてのデータの受信完了後に、広告情報を重畳する場合に比べて、処理の負荷が少ないという利点がある。
＜＜実施形態１７、１８＞＞
【０３５６】
＜実施形態１７、１８：概要＞
【０３５７】
実施形態１７、１８について説明する。本実施形態は、広告情報としての音声を、コンテンツの背景音として埋め込んで広告情報入りコンテンツ情報を生成することに特徴を有し、実施形態２を基本とする広告情報重畳装置である。
【０３５８】
＜実施形態１７、１８：構成＞
【０３５９】
本実施形態での機能ブロックの一例はすでに図２で示した。
【０３６０】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【０３６１】
「広告情報重畳部」（０２０３）は、広告情報としての音声を、コンテンツの背景音として埋め込んで広告情報入りコンテンツ情報を生成する。
【０３６２】
「背景音」とは、コンテンツで主となるテーマの進行に付随して、その背後に流れる音声をいう。例えば、波の音や森の音などの自然音、ＢＧＭなどがある。
【０３６３】
また、コンテンツの背景音は、コンテンツ情報で再生される街などの風景の音である場合もある。「街など」とは、人が集まり住む場所、または、商店が並ぶ区域である。したがって、「街などの風景の音」は、街の雑踏や、喧騒、車などが走行する騒音、商店の物売りの声などが含まれる。
【０３６４】
「背景音として埋め込まれた広告情報」とは、広告情報が背景音の中に溶け込み違和感ない状態になることをいう。
【０３６５】
その他、各部については実施形態２と同様である。
【０３６６】
＜実施形態１７：具体例＞
【０３６７】
広告情報としての音声を、コンテンツの背景音として埋め込んで広告情報入りコンテンツ情報を生成する具体例を以下に示す。
【０３６８】
例えば、主人公が海岸でサンオイルを体に塗って日光浴する場面のコンテンツに対して、主人公が使用したサンオイルの購入を促す音声の広告情報が流れる場合などを例示することができる。具体的には、海の家の店主がサンオイルの品名、価格、効能等を宣伝する場合などが該当する。このとき、サンオイルの広告情報は、背景音である波の音や、ＢＧＭに埋め込んで広告情報入りコンテンツ情報を生成する。
【０３６９】
＜実施形態１８：具体例＞
【０３７０】
実施形態１８では、さらにコンテンツの背景音は、コンテンツ情報で再生される街などの風景の音の場合を示す。
【０３７１】
具体的には、主人公が街を散歩する場面のコンテンツに対して、通りかかったスーパーの呼びこみの声、あるいは、そのスーパーのお買い得商品の情報などが流れる場合などを例示することができる。このとき、音声の広告情報であるスーパーの呼びこみの声などは、背景音である街などの風景の音に埋め込んで広告情報入りコンテンツ情報を生成する。
【０３７２】
＜実施形態１７、１８：効果＞
【０３７３】
広告情報としての音声を、コンテンツの背景音として埋め込んで広告情報入りコンテンツ情報とすることで、視聴者は逆に埋め込まれた音声に注目し、集中して広告情報を聴くことが期待される。
【０３７４】
さらに、コンテンツの背景音が、街などの風景音の場合には、広告情報入りコンテンツ情報を視聴者により身近に感じさせ、広告の内容を自然に聴覚に働きかけることができる。
＜＜実施形態１９、２０、２１＞＞
【０３７５】
＜実施形態１９、２０、２１：概要＞
【０３７６】
実施形態１９、２０、２１について説明する。本実施形態は、広告情報としての画像を、コンテンツの画像の一部を置き換えて広告情報入りコンテンツ情報を生成することに特徴を有し、実施形態２を基本とする広告情報重畳装置である。
【０３７７】
＜実施形態１９、２０、２１：構成＞
【０３７８】
本実施形態での機能ブロックの一例はすでに図２で示した。
【０３７９】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【０３８０】
「広告情報重畳部」（０２０３）は、広告情報としての画像を、コンテンツの画像の一部を置き換えて広告情報入りコンテンツ情報を生成する。
【０３８１】
「コンテンツの画像の一部」とは、コンテンツの画像中に設けられる任意の領域をいう。指定の領域は、その外枠などによって指定領域以外の画像と区別することができ、指定領域内は、コンテンツの内容の進行に影響を与えないような場面であることが望ましい。指定領域は、例えば、コンテンツ中に登場するテレビ画面、ポスター、新聞などが該当する。
【０３８２】
また、コンテンツ画像の一部は、街などの風景としての看板の部分の画像である場合がある。「看板」は、商店などが、店名・業種・商品名などを通行人の目につきやすいように掲げたものである。その他、垂れ幕、のぼり、掲示板などが含まれるとしてもよい。
【０３８３】
その他、各部については実施形態２と同様である。
【０３８４】
＜実施形態１９：具体例＞
【０３８５】
広告情報としての画像を、コンテンツの画像の一部を置き換えて広告情報入りコンテンツ情報を生成する具体例を以下に示す。
【０３８６】
例えば、主人公がテレビを見ている場面のコンテンツに対して、そのテレビのモニタの部分に、任意の広告情報が置き換えられる場合などを例示することができる。このとき、主人公の行動と、広告情報に関係性がなくてもよいが、関連性がある広告情報が重畳できる場合には、高い広告効果が期待できる。具体的には、テレビを見ながらコーヒーを飲む主人公に対して、テレビモニタにコーヒーの広告情報が映し出される場合である。
【０３８７】
＜実施形態２０：具体例＞
【０３８８】
実施形態２０では、さらにコンテンツ画像の一部は、街などの風景としての看板の部分の画像である場合を示す。
【０３８９】
具体的には、主人公が街を散歩する場面のコンテンツに対して、通りかかった映画館の看板に別の映画の広告情報を重畳する場合などを例示することができる。看板で宣伝されている映画の公開が終わった場合等であっても、すぐに別の映画などの広告情報で対応することができる。さらに、看板自体が動くものであっても、問題はない。例えば、トラックの側面に描かれた宅配便の商標や社名を、別の宅配便業者の商標等に変更等することも可能である。
【０３９０】
また、このとき、看板に重畳する広告情報は、静止画であっても、動画であってもよい。元のコンテンツでの看板が、文字や絵が描かれた通常の看板の場合に、動画の広告情報が重畳されれば、斬新であり注目を集めることが期待できる。
【０３９１】
＜実施形態２１：具体例＞
【０３９２】
実施形態２１では、さらにコンテンツ画像の一部は、街などの風景としての電光掲示板の部分の画像である場合を示す。
【０３９３】
具体的には、主人公が街を散歩する場面のコンテンツに対して、通りかかったビルに電光掲示板が設置されていて、そこに任意の画像の広告情報を重畳する場合などを例示することができる。すでに電光掲示板自体が、人々の注目を集めることが多いため、コンテンツの隅に電光掲示板が映っているに過ぎない場合であっても、重畳した広告情報が注目されることが期待できる。
【０３９４】
＜実施形態１９、２０、２１：効果＞
【０３９５】
広告情報としての画像を、コンテンツの画像の一部を置き換えて広告情報入りコンテンツ情報とすることで、視聴者は逆に置き換えられた画像に注目し、集中して広告情報を見ることが期待される。
【０３９６】
また、コンテンツの画像の一部が、街などの風景としての看板の画像である場合には、実際の看板の情報を変更する場合と比較して、格段に簡単にその表示の変更ができる。電光掲示板の場合には、すでにそれ自体も、人々の注目を集めることが多いため、重畳した広告情報に対する注目度も高いことが期待される。
＜＜実施形態２２、２３＞＞
【０３９７】
＜実施形態２２、２３：概要＞
【０３９８】
実施形態２２、２３について説明する。本実施形態は、広告情報としての文字を、コンテンツの画像の一部に埋め込んで広告情報入りコンテンツ情報を生成することに特徴を有し、実施形態２を基本とする広告情報重畳装置である。
【０３９９】
＜実施形態２２、２３：構成＞
【０４００】
本実施形態での機能ブロックの一例はすでに図２で示した。
【０４０１】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【０４０２】
「広告情報重畳部」（０２０３）は、広告情報としての文字を、コンテンツの画像の一部に埋め込んで広告情報入りコンテンツ情報を生成する。
【０４０３】
また、コンテンツ画像の一部は、街などの風景としての看板の部分の画像である場合がある。
【０４０４】
その他、各部については実施形態２と同様である。
【０４０５】
＜実施形態２２：具体例＞
【０４０６】
広告情報としての文字を、コンテンツの画像の一部に埋め込んで広告情報入りコンテンツ情報を生成する具体例を以下に示す。
【０４０７】
例えば、主人公がレストランで食事をしている場面のコンテンツに対して、そのレストランの案内（名称、住所、電話番号、営業時間など）、主人公が食べているメニューの紹介（名称、材料、値段など）、主人公が身につけている衣服、装飾品などの紹介を、テロップや、字幕などを用いて流す場合などを例示することができる。
【０４０８】
＜実施形態２３：具体例＞
【０４０９】
実施形態２３では、さらにコンテンツ画像の一部は、街などの風景としての電光掲示板の部分の画像である場合を示す。
【０４１０】
具体的には、主人公が街を散歩する場面のコンテンツに対して、通りかかったビルに電光掲示板が設置されていて、そこに任意の文字の広告情報を重畳する場合などを例示することができる。
【０４１１】
＜実施形態２２、２３：効果＞
【０４１２】
広告情報としての文字を、コンテンツの画像の一部に埋め込んで広告情報入りコンテンツ情報とすることで、視聴者は逆に埋め込まれた文字に注目し、集中して広告情報を読むことが期待される。また、その広告情報が文字であることにより、伝達できる情報が比較的多いので、有益である。
＜＜実施形態２４＞＞
【０４１３】
＜実施形態２４：概要＞
【０４１４】
実施形態２４について説明する。本実施形態は、広告情報に関連するウエッブページを表示した場合の履歴情報を外部に送信することに特徴を有し、実施形態１を基本とする広告情報重畳装置である。
【０４１５】
＜実施形態２４：構成＞
【０４１６】
本実施形態での機能ブロックの一例を図３６に示した。
【０４１７】
図３６に示す本実施形態の「広告情報重畳装置」（３６００）は、「コンテンツ情報取得部」（３６０１）と、「広告情報取得部」（３６０２）と、「広告情報重畳部」（３６０３）と、さらに、「履歴情報蓄積部」（３６０４）と、「履歴情報送信部」（３６０５）とからなる。
【０４１８】
「広告情報取得部」（３６０２）は、広告情報を取得する。そして、広告情報は、その広告情報に関連する情報を表示するウエッブページへのリンク情報が含まれる。
【０４１９】
リンク情報は、例えば、ウエッブページのＵＲＬなどが該当する。広告情報重畳装置の利用者が、広告情報に関連する情報を知りたい場合には、そのリンク情報を選択等すると、ウエッブページが表示される。
【０４２０】
「履歴情報蓄積部」（３６０４）は、前記リンク情報に基づいてウエッブページを表示した履歴情報を蓄積する。
【０４２１】
履歴情報は、例えば、表示されたウエッブページのＵＲＬ、表示した日時などが該当する。
【０４２２】
「履歴情報送信部」（３６０５）は、前記履歴情報蓄積部（３６０４）に蓄積される履歴情報を送信する。
【０４２３】
送信先は、例えば、広告情報を供給する広告情報配信サーバなどが該当する。広告情報配信サーバが履歴情報を取得することは、その履歴情報の解析を行うことで、利用者の嗜好などが認識でき、より利用者の求める広告情報を配信するように役立てられるからである。
【０４２４】
その他の各部は、実施形態１と同様である。
【０４２５】
＜実施形態２４：具体例＞
【０４２６】
図３７は、広告情報に関連するウエッブページを表示した際に蓄積される履歴情報についての具体例を示した。
【０４２７】
図の左に示したのは、広告情報入りコンテンツ情報である。ここでは、主人公がレストランで食事をしている場面のコンテンツに対して、そのレストランの案内（名称、住所、電話番号、レストランのホームページのＵＲＬ）の広告情報が重畳された広告情報入りコンテンツ情報である。広告情報は、文字の情報であり、テロップを用いて表示されている。広告情報は、そのレストランのホームページのＵＲＬであるリンク情報も含まれている。ここで、コンテンツの視聴を行っている広告情報重畳装置の利用者が、そのＵＲＬをクリックすることで、ＵＲＬが示すリンク先が表示されるようになっている。利用者はコンテンツと広告情報を視聴することで、そのレストランに興味をもった場合には、もっと詳細に知るためにそのＵＲＬをクリックして、ホームページの閲覧をすることができる。
【０４２８】
ここで、ＵＲＬをクリックして、表示されたレストランＸＸのホームページが図の右上に示されている。ホームページを表示させた段階で、ＵＲＬと閲覧を行った日時等の状況が、履歴情報として、広告情報重畳装置に蓄積される。そして、一定期間経過ごと、あるいは、履歴情報の更新ごとに、履歴情報が広告情報配信サーバなどに送信される。
【０４２９】
＜実施形態２４：処理の流れ＞
【０４３０】
図３８は、実施形態２４での処理の流れの一例を示したものである。本実施形態における広告情報重畳方法は、以下に示すステップよりなる。
【０４３１】
まず、コンテンツを利用するための情報を含むコンテンツ情報を取得する（コンテンツ情報取得ステップ　Ｓ３８０１）。
【０４３２】
関連する情報を表示するウエッブページへのリンク情報が含まれる広告情報を取得する（広告情報取得ステップ　Ｓ３８０２）。
【０４３３】
コンテンツ情報取得ステップにて取得したコンテンツ情報に、広告情報取得ステップにて取得した広告情報を重畳して広告情報入りコンテンツ情報を生成する（広告情報重畳ステップ　Ｓ３８０３）。
【０４３４】
その後、リンク情報に基づいてウエッブページを表示する（ウエッブページ表示ステップ　Ｓ３８０４）。このとき、履歴情報を蓄積する。
【０４３５】
最後に、蓄積される履歴情報を送信する（履歴情報送信ステップ　Ｓ３８０５）。
【０４３６】
＜実施形態２４：効果＞
【０４３７】
広告情報にリンク情報が含まれていることで、利用者は興味のある広告情報にすぐにアクセスすることができる。これにより、利用者の利便性は高まり、一方の広告情報供給者は、購買意欲をもつ利用者へダイレクトに広告宣伝活動ができるため、ビジネスチャンスを逃がさない。
【０４３８】
さらに、履歴情報を送信して、広告情報配信サーバがその履歴情報を取得することは、その履歴情報の解析を行うことで、利用者の嗜好などが認識でき、より利用者の求める広告情報を配信するように役立てられる。
＜＜実施形態２５＞＞
【０４３９】
＜実施形態２５：概要＞
【０４４０】
実施形態２５について説明する。本実施形態は、広告情報を重畳した場合の重畳履歴情報を外部に送信することに特徴を有し、実施形態１から８を基本とする広告情報重畳装置である。
【０４４１】
＜実施形態２５：構成＞
【０４４２】
本実施形態での機能ブロックの一例を図３９に示した。
【０４４３】
図３９に示す本実施形態の「広告情報重畳装置」（３９００）は、「コンテンツ情報取得部」（３９０１）と、「広告情報取得部」（３９０２）と、「広告情報重畳部」（３９０３）と、さらに、「重畳履歴情報蓄積部」（３９０４）と、「重畳履歴情報送信部」（３９０５）とからなる。
【０４４４】
「重畳履歴情報蓄積部」（３９０４）は、広告情報重畳部（３９０３）での広告情報の重畳の履歴情報を蓄積する。
【０４４５】
重畳の履歴情報は、広告情報の重畳処理を行った履歴を示す情報をいう。それは、例えば、重畳した広告情報に関する情報（名称、属性など）、重畳した日時・回数、重畳されたコンテンツ情報に関する情報（名称、属性、重畳した箇所など）などが該当する。
【０４４６】
「重畳履歴情報送信部」（３９０５）は、前記重畳履歴情報蓄積部（３９０４）での履歴情報を送信する。
【０４４７】
送信先は、例えば、広告情報配信サーバや、コンテンツ情報を供給するコンテンツ情報配信サーバなどが該当する。広告情報配信サーバが履歴情報を取得することは、その履歴情報の解析を行うことで、利用者の嗜好などが認識でき、より利用者の求める広告情報を配信するように役立てられるからである。一方、コンテンツ情報配信サーバが履歴情報を取得することで、広告情報の配信元に対して重畳に対する課金の処理等を行うことができる。
【０４４８】
その他の各部は、実施形態１と同様である。
【０４４９】
＜実施形態２５：具体例＞
【０４５０】
図４０は、広告情報の重畳の履歴情報についての具体例を示した。
【０４５１】
図で示した表の左側には、重畳する広告情報に関する情報を、右側には、重畳されるコンテンツ情報に関する情報を示した。ここでは、コンテンツ「待ち合わせ」に広告情報を重畳する。コンテンツ「待ち合わせ」の冒頭２分３０秒から４分までの間に、ＸＸビールの広告情報を重畳する。この広告情報は、画像の広告情報であり、４回繰り返して重畳されたことがわかる。その後、冒頭１５分から１６分までの間に、今度は紳士服△△の広告情報を重畳する。この広告情報は、文字の広告情報であり、１回のみ重畳する。
【０４５２】
このような履歴情報が、蓄積されることによって、コンテンツ情報に対して、どのような広告情報を、いつ、何回重畳したのかがすぐに明らかになる。
【０４５３】
＜実施形態２５：処理の流れ＞
【０４５４】
図４１は、実施形態２５での処理の流れの一例を示したものである。本実施形態における広告情報重畳方法は、以下に示すステップよりなる。
【０４５５】
まず、コンテンツを利用するための情報を含むコンテンツ情報を取得する（コンテンツ情報取得ステップ　Ｓ４１０１）。
【０４５６】
広告情報を取得する（広告情報取得ステップ　Ｓ４１０２）。
【０４５７】
コンテンツ情報取得ステップにて取得したコンテンツ情報に、広告情報取得ステップにて取得した広告情報を重畳して広告情報入りコンテンツ情報を生成する（広告情報重畳ステップ　Ｓ４１０３）。このとき、重畳の履歴情報を蓄積する。
【０４５８】
最後に、蓄積される履歴情報を送信する（重畳履歴情報送信ステップ　Ｓ４１０４）。
【０４５９】
＜実施形態２５：効果＞
【０４６０】
広告情報をコンテンツ情報に重畳する際の履歴情報が、蓄積されることによって、コンテンツ情報に対して、どのような広告情報を、いつ、何回重畳したのかがすぐに明らかになる。履歴情報をみて、重畳の頻度に極端な偏りがないかなどの確認をすることができる。
【０４６１】
さらに、広告情報重畳装置から送信された履歴情報を、コンテンツ情報配信サーバが取得後、それを利用して、広告情報の配信元に対して重畳に対する対価の請求等を行うことができる。
＜＜実施形態２６＞＞
【０４６２】
＜実施形態２６：概要＞
【０４６３】
実施形態２６について説明する。本実施形態は、生成した広告情報入りコンテンツ情報を再生することに特徴を有し、実施形態１から８を基本とする広告情報重畳装置である。
【０４６４】
＜実施形態２６：構成＞
【０４６５】
本実施形態での機能ブロックの一例を図４２に示した。
【０４６６】
図４２に示す本実施形態の「広告情報重畳装置」（４２００）は、「コンテンツ情報取得部」（４２０１）と、「広告情報取得部」（４２０２）と、「広告情報重畳部」（４２０３）と、さらに、「コンテンツ再生部」（４２０４）とからなる。
【０４６７】
「コンテンツ再生部」（４２０４）は、前記広告情報重畳部（４２０３）で生成した広告情報入りコンテンツ情報を再生するための処理を行う。
【０４６８】
「再生するための処理」とは、広告情報重畳装置（４２００）自身が再生を行う場合の他、別個の再生装置などへ広告情報入りコンテンツ情報を送信する等の再生の準備処理であってもよい。また、再生する対象としては、画像、音声の両方を含むので、広告情報重畳装置がモニタやスクリーンなどの他、スピーカー、ヘッドホン等を装備する場合もある。
【０４６９】
＜実施形態２６：処理の流れ＞
【０４７０】
図４３は、実施形態２６での処理の流れの一例を示したものである。本実施形態における広告情報重畳方法は、以下に示すステップよりなる。
【０４７１】
まず、コンテンツを利用するための情報を含むコンテンツ情報を取得する（コンテンツ情報取得ステップ　Ｓ４３０１）。
【０４７２】
広告情報を取得する（広告情報取得ステップ　Ｓ４３０２）。
【０４７３】
コンテンツ情報取得ステップにて取得したコンテンツ情報に、広告情報取得ステップにて取得した広告情報を重畳して広告情報入りコンテンツ情報を生成する（広告情報重畳ステップ　Ｓ４３０３）。
【０４７４】
最後に、広告情報重畳ステップで生成した広告情報入りコンテンツ情報を再生するための処理を行う（コンテンツ再生ステップ　Ｓ４３０４）。
【０４７５】
＜実施形態２６：効果＞
【０４７６】
広告情報重畳装置で、コンテンツの再生のための処理ができれば、利用者にとって便利である。
＜＜実施形態２７＞＞
【０４７７】
＜実施形態２７：概要＞
【０４７８】
実施形態２７について説明する。本実施形態は、許可情報に基づいて、広告情報の重畳を許可することに特徴を有し、実施形態１から８を基本とする広告情報重畳装置である。
【０４７９】
＜実施形態２７：構成＞
【０４８０】
本実施形態での機能ブロックの一例を図４４に示した。
【０４８１】
図４４に示す本実施形態の「広告情報重畳装置」（４４００）は、「コンテンツ情報取得部」（４４０１）と、「広告情報取得部」（４４０２）と、「広告情報重畳部」（４４０３）と、さらに、「許可部」（４４０４）とからなる。また、「許可部」（４４０４）は、さらに、「許可情報受信手段」（４４０５）を有する。
【０４８２】
「許可部」（４４０４）は、広告情報重畳部（４４０３）での広告情報の重畳を許可するための処理を行う。また、許可部に含まれる「許可情報受信手段」（４４０５）は、許可情報を受信する。
【０４８３】
「許可情報」は、許可をするか、又は、しないかに関する情報である。「許可情報の受信」は、広告情報重畳装置外部から送信された許可情報を受け取る場合の他、内部的に許可情報を生成し、受け取る場合もある。
【０４８４】
許可情報が「許可」の場合には、広告情報重畳部（４４０３）での広告情報の重畳を許可するための処理を行う。許可である旨の信号を広告情報重畳部（４４０３）に渡す等する。これにより、広告情報入りコンテンツ情報が生成される。
【０４８５】
また、許可情報が「許可をしない」場合には、許可部（４４０４）は、広告情報重畳部（４４０３）での広告情報の重畳を許可しないようにするための処理を行うとしてもよい。許可情報が「許可をしない」場合とは、例えば、コンテンツ情報の供給者が、広告情報の内容やスポンサーの意向などにより許可をしない場合などがある。一方、逆に、広告情報の供給者が、コンテンツ情報の内容などにより許可をしない場合もある。また、広告情報重畳装置の利用者が、広告情報を回避するために、許可しない場合もある。この場合は、その対価が広告情報の供給者などに支払われることが前提となってもよい。
【０４８６】
＜実施形態２７：処理の流れ＞
【０４８７】
図４５は、実施形態２７での処理の流れの一例を示したものである。本実施形態における広告情報重畳方法は、以下に示すステップよりなる。
【０４８８】
まず、コンテンツを利用するための情報を含むコンテンツ情報を取得する（コンテンツ情報取得ステップ　Ｓ４５０１）。
【０４８９】
広告情報を取得する（広告情報取得ステップ　Ｓ４５０２）。
【０４９０】
許可情報を受信する（許可情報受信ステップ　Ｓ４５０３）。
【０４９１】
その後、受信した許可情報が、許可をするか、又は、しないかを判断する（許可情報判断ステップ　Ｓ４５０４）。判断結果が許可しないという判断結果の場合には、処理を終了する。
【０４９２】
許可情報判断ステップでの判断結果が許可するという判断結果の場合には、広告情報の重畳を許可するための処理を行う（許可ステップ　Ｓ４５０５）。
【０４９３】
そして、コンテンツ情報取得ステップにて取得したコンテンツ情報に、広告情報取得ステップにて取得した広告情報を重畳して広告情報入りコンテンツ情報を生成する（広告情報重畳ステップ　Ｓ４５０６）。
【０４９４】
＜実施形態２７：効果＞
【０４９５】
広告情報重畳装置が許可部を有することで、広告情報の供給者、コンテンツ情報の供給者、広告情報重畳装置の利用者のいずれもが、広告情報の重畳処理の可否を申し出ることが可能となる。広告情報をすでに広告情報重畳装置が取得してしまった後であっても、許可しないという許可情報を送信することで、広告情報が重畳されないようにコントロールできるところに利点がある。
＜＜実施形態２８＞＞
【０４９６】
＜実施形態２８：概要＞
【０４９７】
実施形態２８について説明する。本実施形態は、広告情報を利用者が選択することに特徴を有し、実施形態１から８を基本とする広告情報重畳装置である。
【０４９８】
＜実施形態２８：構成＞
【０４９９】
本実施形態での機能ブロックの一例を図４６に示した。
【０５００】
図４６に示す本実施形態の「広告情報重畳装置」（４６００）は、「コンテンツ情報取得部」（４６０１）と、「広告情報取得部」（４６０２）と、「広告情報重畳部」（４６０３）と、さらに、「広告情報選択部」（４６０４）とからなる。
【０５０１】
「広告情報選択部」（４６０４）は、広告情報重畳部（４６０３）にて重畳される広告情報を前記利用者が選択するための処理を行う。
【０５０２】
「選択するための処理」とは、選択処理の他、選択の前段階である準備処理をも含む場合もある。広告情報選択部では、広告情報取得部（４６０２）で取得した広告情報のうち、視聴者が自己の嗜好や、必要に応じて、任意に広告情報を選択等する。具体的には、広告情報重畳装置のモニタ等に表示された広告情報を見て、広告情報重畳装置に装備されたボタンの押下、マウスによるクリック、タッチパネルへの接触などにより、選択できる。選び出す広告情報は、単一のものでもよいし、複数の広告情報であってもよい。
【０５０３】
選ばれた広告情報は、広告重畳部（４６０３）へ渡され、そこでコンテンツ情報に重畳されて、広告情報入りコンテンツ情報が生成される。
【０５０４】
＜実施形態２８：処理の流れ＞
【０５０５】
図４７は、実施形態２８での処理の流れの一例を示したものである。本実施形態における広告情報重畳方法は、以下に示すステップよりなる。
【０５０６】
まず、コンテンツを利用するための情報を含むコンテンツ情報を取得する（コンテンツ情報取得ステップ　Ｓ４７０１）。
【０５０７】
広告情報を取得する（広告情報取得ステップ　Ｓ４７０２）。
【０５０８】
その後、広告情報取得ステップにて取得した広告情報を前記利用者が選択するための処理を行う（広告情報選択ステップ　Ｓ４７０３）。
【０５０９】
コンテンツ情報取得ステップにて取得したコンテンツ情報に、広告情報選択ステップにて選択した広告情報を重畳して広告情報入りコンテンツ情報を生成する（広告情報重畳ステップ　Ｓ４７０４）。
【０５１０】
＜実施形態２８：効果＞
【０５１１】
利用者が自己に興味のある広告情報を自由に選択できることで、利用者が広告情報により注視して広告情報入りコンテンツ情報を視聴することが想定される。これにより、広告情報によるさらなる宣伝・広告効果が期待できる。
＜＜実施形態２９＞＞
【０５１２】
＜実施形態２９：概要＞
【０５１３】
実施形態２９について説明する。本実施形態は、広告情報取得部で取得される広告情報は、暗号化されたものであることに特徴を有し、実施形態１から８を基本とする広告情報重畳装置である。
【０５１４】
＜実施形態２９：構成＞
【０５１５】
本実施形態での機能ブロックの一例は、すでに図２に示したものと同様である。
【０５１６】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【０５１７】
「広告情報取得部」（０２０２）は、暗号化された広告情報を取得する。
【０５１８】
広告情報が暗号化されていることによって、広告情報の供給を受ける利用者のプライバシーが保たれる。購入することをオープンにしたくない商品などの広告情報に最適である。
【０５１９】
また、広告情報の供給者から特定の利用者のみに対して広告情報の供給を行いたい場合などに有効である。具体的には、お得意様だけの限定販売、先行予約等の紹介である。
【０５２０】
＜実施形態２９：効果＞
【０５２１】
広告情報が暗号化されていることによって、広告情報の供給を受ける利用者のプライバシーが保たれる。購入することをオープンにしたくない商品などの広告情報に最適である。
＜＜実施形態３０＞＞
【０５２２】
＜実施形態３０：概要＞
【０５２３】
実施形態３０について説明する。本実施形態は、移動端末装置であることに特徴を有し、実施形態１から８を基本とする広告情報重畳装置である。
【０５２４】
＜実施形態３０：構成＞
【０５２５】
本実施形態での機能ブロックの一例は、すでに図２に示したものと同様である。
【０５２６】
図２に示す本実施形態の「広告情報重畳装置」（０２００）は、「コンテンツ情報取得部」（０２０１）と、「広告情報取得部」（０２０２）と、「広告情報重畳部」（０２０３）とからなる。
【０５２７】
「広告情報重畳装置」（０２００）は、移動型端末装置である。
【０５２８】
「移動型端末装置」とは、持ち運びが可能な小型の装置をいう。例えば、カー・ナビゲーションシステム、携帯電話などが該当する。
【０５２９】
＜実施形態３０：具体例＞
【０５３０】
図４８は、広告情報重畳装置が、カー・ナビゲーションシステムである場合の概念図を示したものである。このときのコンテンツ情報は、現在地の地図である。このコンテンツ情報に広告情報を重畳する。
【０５３１】
カー・ナビゲーションシステムの場合、ＧＰＳ（Ｇｌｏｂａｌ　Ｐｏｓｉｔｉｏｎｉｎｇ　Ｓｙｓｔｅｍ）を用いて、現在地が分かるので、例えば、その周辺のお店などの広告を広告情報として、重畳することができる。
【０５３２】
図で示したのは、走行中の車の前方にあるファミリーレストランの広告情報を重畳する場面である。ここでは、カー・ナビゲーションシステムの画面の右上に、広告情報を再生する小画面がある。まず、例えば、「ファミリーレストラン○○は、前方５０ｍ先の交差点を右折、８０ｍ前方」等の告知後、そのファミリーレストランの広告情報である映像と音声を再生する。このとき、利用者はそのファミリーレストランの周辺まで来ているので、お店に行くという行動に繋がりやすいといえる。
【０５３３】
また、移動型端末装置である広告情報重畳装置が、その他のコンテンツ再生装置等と連動して、広告情報入りコンテンツ情報を再生する場合も想定される。具体的には、移動型端末装置からＧＰＳを用いて得られる現在地の情報に基づいて定められた広告情報が、コンテンツ情報と重畳され、広告情報入りコンテンツ情報が再生される。例えば、カー・ナビゲーションシステムにより、現在地が数寄屋橋交差点であることが分かった場合には、カーラジオから流れるラジオドラマの背景音として、数寄屋橋交差点脇にあるデパートに行きたいという会話の広告情報を重畳して流す。これによりラジオドラマを聴いていた視聴者は、そのデパートへ行きたくなることが予想される。これは、実際に、数寄屋橋交差点付近に自分が来ていることも手伝い、地理的に離れた場所のデパートの広告情報を重畳するよりも、広告効果は高いと予想される。
【０５３４】
＜実施形態３０：効果＞
【０５３５】
広告情報重畳装置が、移動型端末装置である場合には、携帯して任意の場所で広告情報入りコンテンツ情報を視聴することができる。それによって、利用者は現在地の周辺のお店が広告情報で示された場合には、そのお店に行くという行動に繋がりやすい。家の中などから広告情報を視聴するよりも広告効果が高いといえる。
【発明の効果】
コンテンツ情報と、広告情報とを重畳させることにより、コンテンツ情報の視聴者が、必然的に広告情報をも視聴することになり、宣伝効果が期待できる。
【０５３６】
また、コンテンツ情報、あるいは、広告情報の供給者は、必要に応じて広告情報を差し替える事ができる。これにより、新商品の宣伝活動をタイミングよく行うことができ、便利である。さらに、同じコンテンツ情報であっても、広告情報が変わることで変化が生じ、複数回同じコンテンツ情報を視聴しても視聴者を飽きさせない。
【図面の簡単な説明】
【図１】実施形態１を説明するための概念図
【図２】実施形態１を説明するための機能ブロック図
【図３】実施形態１での重畳の具体的方法を示した図
【図４】実施形態１の処理の流れを説明する図
【図５】実施形態２での広告情報入りコンテンツ情報の具体例を示した図
【図６】実施形態３での広告情報入りコンテンツ情報の具体例を示した図
【図７】実施形態４を説明するための機能ブロック図
【図８】実施形態４での広告情報の取得処理の具体例を示した図
【図９】実施形態４の処理の流れを説明する図
【図１０】実施形態５を説明するための機能ブロック図
【図１１】実施形態５を説明するための具体的機能ブロック図
【図１２】実施形態５の処理の流れを説明する図
【図１３】実施形態６を説明するための機能ブロック図
【図１４】実施形態６を説明するための具体的機能ブロック図
【図１５】実施形態６の処理の流れを説明する図
【図１６】実施形態７のタイミング情報に基づく広告情報の重畳処理の具体例を示した図
【図１７】実施形態７の処理の流れを説明する図
【図１８】実施形態８を説明するための機能ブロック図
【図１９】実施形態８を説明するための具体的機能ブロック図
【図２０】実施形態８の処理の流れを説明する図
【図２１】実施形態９を説明するための機能ブロック図
【図２２】実施形態９を説明するための具体的機能ブロック図
【図２３】実施形態９の処理の流れを説明する図
【図２４】実施形態１０を説明するための機能ブロック図
【図２５】実施形態１０の処理の流れを説明する図
【図２６】実施形態１１を説明するための機能ブロック図
【図２７】実施形態１１を説明するための具体的機能ブロック図
【図２８】実施形態１１の処理の流れを説明する図
【図２９】実施形態１２を説明するための機能ブロック図
【図３０】実施形態１２を説明するための具体的機能ブロック図
【図３１】実施形態１２の処理の流れを説明する図
【図３２】実施形態１３を説明するための機能ブロック図
【図３３】実施形態１３の処理の流れを説明する図
【図３４】実施形態１６を説明するための機能ブロック図
【図３５】実施形態１６の処理の流れを説明する図
【図３６】実施形態２４を説明するための機能ブロック図
【図３７】実施形態２４での履歴情報についての具体例を示した図
【図３８】実施形態２４の処理の流れを説明する図
【図３９】実施形態２５を説明するための機能ブロック図
【図４０】実施形態２５での履歴情報についての具体例を示した図
【図４１】実施形態２５の処理の流れを説明する図
【図４２】実施形態２６を説明するための機能ブロック図
【図４３】実施形態２６の処理の流れを説明する図
【図４４】実施形態２７を説明するための機能ブロック図
【図４５】実施形態２７の処理の流れを説明する図
【図４６】実施形態２８を説明するための機能ブロック図
【図４７】実施形態２８の処理の流れを説明する図
【図４８】実施形態３０での広告情報重畳装置の具体例を示した図
【符号の説明】
０２００　　広告情報重畳装置
０２０１　　コンテンツ情報取得部
０２０２　　広告情報取得部
０２０３　　広告情報重畳部
【図１】
2004102475.tif 000003
【図２】
2004102475.tif 000004
【図３】
2004102475.tif 000005
【図４】
2004102475.tif 000006
【図５】
2004102475.tif 000007
【図６】
2004102475.tif 000008
【図７】
2004102475.tif 000009
【図８】
2004102475.tif 000010
【図９】
2004102475.tif 000011
【図１０】
2004102475.tif 000012
【図１１】
2004102475.tif 000013
【図１２】
2004102475.tif 000014
【図１３】
2004102475.tif 000015
【図１４】
2004102475.tif 000016
【図１５】
2004102475.tif 000017
【図１６】
2004102475.tif 000018
【図１７】
2004102475.tif 000019
【図１８】
2004102475.tif 000020
【図１９】
2004102475.tif 000021
【図２０】
2004102475.tif 000022
【図２１】
2004102475.tif 000023
【図２２】
2004102475.tif 000024
【図２３】
2004102475.tif 000025
【図２４】
2004102475.tif 000026
【図２５】
2004102475.tif 000027
【図２６】
2004102475.tif 000028
【図２７】
2004102475.tif 000029
【図２８】
2004102475.tif 000030
【図２９】
2004102475.tif 000031
【図３０】
2004102475.tif 000032
【図３１】
2004102475.tif 000033
【図３２】
2004102475.tif 000034
【図３３】
2004102475.tif 000035
【図３４】
2004102475.tif 000036
【図３５】
2004102475.tif 000037
【図３６】
2004102475.tif 000038
【図３７】
2004102475.tif 000039
【図３８】
2004102475.tif 000040
【図３９】
2004102475.tif 000041
【図４０】
2004102475.tif 000042
【図４１】
2004102475.tif 000043
【図４２】
2004102475.tif 000044
【図４３】
2004102475.tif 000045
【図４４】
2004102475.tif 000046
【図４５】
2004102475.tif 000047
【図４６】
2004102475.tif 000048
【図４７】
2004102475.tif 000049
【図４８】
2004102475.tif 000050